(57)【特許請求の範囲】
【請求項１】
投入されたコインが転動する下向きの軸線に沿って延在するコイン通路と、
前記コインが前記コイン通路を転動する過程で、少なくとも前記コインの直径により真偽を判別し、偽コインを前記コイン通路から排除するコイン選別部と、
前記コイン選別部に対し前記コイン通路の下流において前記コインを検知するコイン検知装置と、
前記コイン検知装置に対し前記コイン通路の上流側に配置され、前記コイン通路の側方において前記コイン通路の軸線に対し直交方向に延在する回転軸線の回りを回転可能であって、回転に伴って前記コイン通路に出没可能な少なくとも３枚の羽根を有する羽根車と、を備え、
前記コイン通路において前記羽根車の前後する２枚の羽根の間に前記コインが１枚ずつ挟まれるよう前記羽根が配置されるコインセレクタ。
【請求項２】
前記回転軸線に沿う方向の視線において前記羽根が弧状に湾曲し、前記コイン通路に突出した直後において前記羽根の前記コイン通路に突出する部位が前記コイン通路の軸線に対して鋭角をなし、前記羽根が前記コイン通路から退出する直前において前記羽根の前記コイン通路に突出する部位が前記コイン通路の軸線に対してほぼ平行をなすよう形成される請求項１に記載のコインセレクタ。
【請求項３】
前記羽根車に対し、前記コインが下流へ移動する方向の回転は許容するが逆方向の回転を阻止するワンウェイクラッチが付設される請求項１に記載のコインセレクタ。
【請求項４】
前記羽根には先端から回転軸線側に向かって先すぼまり状のＶ字形切り欠きが形成され、当該切り欠きによって、前記羽根には前記コイン通路における前記コインの上端部および下端部に対応する先細りの先端部分が形成される請求項１に記載のコインセレクタ。
【請求項５】
前記羽根車の回転を検出する回転検出装置を備える請求項１に記載のコインセレクタ。
【請求項６】
前記回転検出装置は、検知器と、前記羽根車と共に回転し、かつ、前記検知器の作用領域および非作用領域を有する回転体と、を含み、前記作用領域または前記非作用領域が前記羽根のそれぞれに対応して形成される請求項５に記載のコインセレクタ。
【請求項７】
前記羽根車に対し、前記コインが前記コイン通路の下流へ移動する方向の回転を停止する回転停止装置を備える請求項１に記載のコインセレクタ。
【請求項８】
前記回転停止装置は、前記羽根の回転経路に出没可能なストッパを含み、突出した前記ストッパが前記羽根の移動を阻止することにより前記羽根車の回転が停止される請求項７に記載のコインセレクタ。
【請求項９】
前記ストッパは支軸に回動自在に支持された揺動レバと当該揺動レバの先端に設けられた係止体とを有し、前記揺動レバの回動により、前記係止体が前記羽根の回転経路に突出して前記羽根の移動を阻止する位置と、前記係止体が前記羽根の回転経路から退出して前記羽根の移動を許容する位置とに変位可能である請求項８に記載のコインセレクタ。
【請求項１０】
前記羽根車の回転停止に連動して前記コイン通路から前記コインを落下させるコイン落下装置を備える請求項１に記載のコインセレクタ。
【請求項１１】
前記コイン落下装置が、前記コイン通路の軸線にほぼ平行な支軸を中心に回動することにより前記コインが転動できる第１姿勢と前記コインが自重により落下する第２姿勢とに姿勢変更可能な可動ガイドレールと、前記可動ガイドレールを前記第１姿勢に保持する保持体と、を含み、前記羽根車の回転停止に連動して前記保持体による前記可動ガイドレールの保持が解除される請求項１０に記載のコインセレクタ。
【請求項１２】
入口から投入されたコインが転動する下向きの軸線に沿って延在するコイン通路を有し、前記コインが前記コイン通路を転動する過程において、コイン選別部により少なくとも前記コインの直径を判別して偽コインを排除すると共に、前記コイン選別部に対し前記コイン通路の下流においてコイン検知装置により前記コインを検知し、検知された前記コインが出口から排出されるコインセレクタにおける不正防止装置であって、
前記コイン通路の側方において前記コイン通路の軸線に対し直交方向に延在する回転軸線の回りを回転可能であって、回転に伴って前記コイン通路に出没可能な少なくとも３枚の羽根を有する羽根車を備え、
前記コイン通路において前記羽根車の前後する２枚の羽根の間に前記コインが１枚ずつ挟まれるよう前記羽根が配置される、コインセレクタの不正防止装置。
【請求項１３】
前記回転軸線に沿う方向の視線において前記羽根が弧状に湾曲し、前記コイン通路に突出した直後において前記羽根の前記コイン通路に突出する部位が前記コイン通路の軸線に対して鋭角をなし、前記羽根が前記コイン通路から退出する直前において前記羽根の前記コイン通路に突出する部位が前記コイン通路の軸線に対してほぼ平行をなすよう形成される請求項１２に記載のコインセレクタの不正防止装置。
【請求項１４】
前記羽根車に対し、前記コインが下流へ移動する方向の回転は許容するが逆方向の回転を阻止するワンウェイクラッチが付設される請求項１２に記載のコインセレクタの不正防止装置。
【請求項１５】
前記羽根には先端から回転軸線側に向かって先すぼまり状のＶ字形切り欠きが形成され、当該切り欠きによって、前記羽根には前記コイン通路における前記コインの上端部および下端部に対応する先細りの先端部分が形成される請求項１２に記載のコインセレクタの不正防止装置。
【請求項１６】
前記羽根車の回転を検出する回転検出装置を備える請求項１２に記載のコインセレクタの不正防止装置。
【請求項１７】
前記回転検出装置は、検知器と、前記羽根車と共に回転し、かつ、前記検知器の作用領域および非作用領域を有する回転体と、を含み、前記作用領域または前記非作用領域が前記羽根のそれぞれに対応して形成される請求項１６に記載のコインセレクタの不正防止装置。
【発明の詳細な説明】
【技術分野】
【０００１】
本発明は、投入されたコインの真偽を判別し、偽コインと真正コインを選別するコインセレクタに関し、特にパチスロ等の遊技機に好適に使用されるコインセレクタに関する。さらには、真正コイン検知用のコイン検知装置に対する不正を防止するようにしたコインセレクタに関する。さらに詳細には、コイン検知装置に対する不正を防止すると共に、コインの連続投入に対応して高速かつ確実に処理できるコインセレクタに関する。
【０００２】
また、本発明は、投入されたコインの真偽を判別し、偽コインと真正コインを選別するコインセレクタにおける不正防止装置に関し、特にパチスロ等の遊技機に好適に使用されるコインセレクタの不正防止装置に関する。さらには、コインセレクタの処理速度を低下されることなく、真正コイン検知用のコイン検知装置に対する不正を防止するコインセレクタの不正防止装置に関する。
【０００３】
なお、本発明に係るコインセレクタは、パチスロの他、コイン式ゲーム機や自動販売機等に使用可能である。また、本明細書において、コインとは、硬貨、メダルおよびトークン等の総称である。
【背景技術】
【０００４】
第１の従来技術として、本出願人の出願に係る、コインが移動するコイン通路に沿って形成した真偽判別手段の下流に配置したコインセンサからの信号に基づいて前記コインの通過を検知するコインセレクタにおいて、前記コインセンサの下流の前記コイン通路に前記コインの転動方向の通過は許容するが逆方向の通過を許容しないシャッタ手段を配置したことを特徴とするコインセレクタが知られている（例えば、特許文献１参照）。
【０００５】
第１の従来技術では、コインセレクタの出口から不正用器具を挿入しようとしても、その挿入方向はコインの転動方向と逆の方向であるため、シャッタ手段がその挿入を阻止する。したがって、出口から不正用器具を挿入する不正を防止することができる。また、コインを検知するコイン検出通路をコイン通路に対しオフセットすることにより、投入口から不正用器具を挿入することを困難としている。
【０００６】
第２の従来技術として、メダル投入口から投入されたメダルを案内するメダル通路と、このメダル通路の途中に設けられメダルの通過を検知するメダルセレクタとを備えたスロットマシンにおいて、前記メダルセレクタよりも上流側で前記メダル通路内に進入してメダルを堰き止めることができる堰き止め位置、及び前記メダル通路から退避してメダルを通過させる通過位置の間で変位する堰き止め部材と、前記堰き止め部材よりも上流側で前記メダル通路内に突出して配置されており、この突出部位に前記投入されたメダルが接触したときに、前記堰き止め部材に予め堰き止められていた一個のメダルが通過するように前記堰き止め部材を前記通過位置に変位させてから、前記投入されたメダルが新たに堰き止められるように前記堰き止め部材を前記堰き止め位置に変位させる堰き止め部材駆動片と、前記堰き止め部材に堰き止められているメダルの有無を検出するメダル有無検出手段と、前記堰き止め部材の位置を検出する堰き止め部材位置検出手段と、前記堰き止め部材位置検出手段が所定時間継続して前記通過位置を検出した場合、または、前記堰き止め部材位置検出手段が前記堰き止め位置を検出しているにも関わらず前記メダル有無検出手段がメダル無しを検出した場合に、エラー信号を出力するエラー検出手段と、を備えたことを特徴とするスロットマシンが知られている（例えば、特許文献２参照）。
【０００７】
第２の従来技術では、メダル投入口から投入されたメダルは、堰き止め位置に位置する堰き止め部材により一旦堰き止められ、メダル有無検出手段により検出される。次のメダルの投入が投入されると、堰き止め部材駆動片により堰き止め部材が堰き止め位置から通過位置に変位し、堰き止められていたメダルが下流に移動した後、堰き止め部材が通過位置から堰き止め位置に変位する。これにより投入された次のメダルは先に投入されたメダルと同様にして堰き止め部材により堰き止められる。
【０００８】
不正用器具がメダル投入口から継続挿入された場合、堰き止め部材が通過位置に位置する状態が堰き止め部材位置検出手段により所定時間継続して検出され、エラー検出手段がエラー信号を出力する。また、不正用器具が挿入され引き抜かれた場合、堰き止め部材が堰き止め位置にあるにも関わらず堰き止められているメダルが無い状態となり、エラー検出手段がエラー信号を出力する。したがって、エラー信号から不正行為が行われたことが判明し、不正行為の防止に役立てることができる。
【０００９】
第３の従来技術として、投入されたメダルが通過するメダル通路を形成し、正規メダルの通過を検出するメダルセレクタであって、メダルの通過を検出するメダル検出手段と、通過するメダルの周面が当接する、前記メダル通路の一方側壁を形成する側壁形成部材と、通過するメダルの周面が当接する、前記メダル通路の他方側壁を形成する他方側壁部を有し、前記他方側壁が、通過するメダルを前記一方側壁に押圧するように回動自在に設けられた可動部材と、を備え、前記メダル検出手段は、前記一方側壁部から、前記正規メダルの直径以下であって該正規メダルよりも小径の非正規メダルの直径を超えて離間した位置に検出位置が設定され、前記可動部材は、前記一方側壁と前記他方側壁との間を、前記他方側壁の押圧に抗してメダルが通過することにより生じる前記可動部材の回動により、通過中のメダルと後続のメダルとの間の位置となる通過規制位置に進出するセパレート部を備えたことを特徴とするメダルセレクタが知られている（例えば、特許文献３参照）。当該メダルセレクタにおいて、前記可動部材の回動を検出する回動検出手段と、前記メダル検出手段の検出結果と前記回動検出手段の検出結果とに基づいて、エラー判定を行う判定手段を備えている。
【００１０】
第３の従来技術では、メダルが連続投入されても、通過中のメダルによりセパレータ部が通過規制位置に進出し、後続のメダルの通過が規制される。これにより、通過中のメダルと後続のメダルとの間に一定以上の通過間隔が確保され、メダル詰まりの発生が防止されると共に、小径の非正規メダルの誤検出が低減される。また、回動検出手段により正規、不正規を問わず投入されたメダルの進入が検出され、メダル検出手段により正規メダルのみが検出される。正規メダルの通過がメダル検出手段により検出され、回動検出手段によりメダルの進入が検出されない場合、不正行為の蓋然性が高いとして判定手段がエラーを設定しエラー処理が実行される。これにより、不正行為の防止に役立てることができる。
【００１１】
第４の従来技術として、対面する互いの壁面の隙間をメダルが転動するように配置された一対の壁と、前記壁面の面方向に対して略平行で、かつ、メダルが転動する転動方向に対して略垂直な軸を中心に揺動自在となるように、一対の前記壁のうちのいずれか一方の壁側で軸着され、両端部が交互に前記壁に近づくように前記両端部を変位させるシーソー式の揺動部材とを設けるとともに、前記揺動部材の両端部に、転動するメダルの中心のよりも上方又は下方で、対面する前記壁面側に突出し、互いのピッチがメダルの直径よりも大きい一対の突出部を設け、前記揺動部材を、下流側の前記突出部が対面する前記壁面に近づくように変位するとともに、上流側の前記突出部が対面する前記壁面から離れるように変位して、上流側の前記突出部から前記壁面までのピッチがメダルの厚みよりも大きくなる第１位置と、両方の前記突出部が前記転動方向に沿って水平となり、両方の前記突出部から対面する前記壁面までピッチがメダルの厚みよりも小さくなる第２位置と、下流側の前記突出部が対面する前記壁面から離れるように変位するとともに、上流側の前記突出部が対面する前記壁面に近づくように変位して、下流側の記突出部から前記壁面までのピッチがメダルの厚みよりも大きくなる第３位置との間で揺動するように配置し、前記揺動部材は、下流側の前記突出部が転動するメダルによって押圧されると前記第３位置から前記第２位置を経由して前記第１位置に揺動することを特徴とするメダル投入装置が知られている（例えば、特許文献４）。当該メダル挿入装置において、下流側の前記突出部を対面する前記壁面側に向けて付勢する付勢部材が設けられている。
【００１２】
第４の従来技術では、メダル投入口から不正用器具が挿入された場合、揺動部材が揺動して突出部と壁面とによって不正用器具が挟まれる。そのため、不正用器具をメダル検知部まで到達させることができず、不正行為が防止される。
【００１３】
第５の従来技術として、メダルの投入により遊技が開始可能となるメダル遊技機の、少なくとも投入メダルの枚数をカウントするメダル識別機において、投入メダルがその自重により下流へ向けて通過するメダル通路と、このメダル通路内にあってメダル通過力を受けたときのみメダル通路外に退避するように、メダル通路内に対して出没自在に設けられたメダル当接部材と、このメダル当接部材の出没を検出するメダル通過検出器と、前記メダル通路におけるメダル当接部材に対して下流側に設けられた、メダル枚数を１枚ごとにカウントするメダル枚数検出器とを備え、前記メダル通過検出器により検出したメダル当接部材の出没状態およびメダル枚数検出器により検出したメダル枚数検出状態の組合せ状態が所定条件にあてはまるか否かに応じて、適正なメダル投入がなされたか否かを判別するように構成したことを特徴とする、メダル遊技機のメダル識別機が知られている（例えば、特許文献５）。
【００１４】
第５の従来技術では、メダル通路を通過するメダルの通過力によりメダル通路外にメダル当接部材が退避したことをメダル通過検出器で検出し、メダル通過検出器による検出信号とメダル枚数検出器により検出されたメダル枚数検出信号とに基づいて不正行為が行われているか否かを判別する。
【先行技術文献】
【特許文献】
【００１５】
【特許文献１】特開２００８−１１７０７２号公報（図１、図３、図８、図９、段落番号００２６、００２７、００３２、００３３）
【特許文献２】特開２００９−１２５４０５号公報（図３、図７、図９、段落番号００１７〜００２３、段落番号００３４〜００４１）
【特許文献３】特開２０１１−９８１１２号公報（図５〜図１１、図１５、図１６、段落番号００６３〜００９２、段落番号０１０３〜０１１０）
【特許文献４】特開２００６−１４８４０号公報（図３〜図６、段落番号００２０〜００２６）
【特許文献５】特開２００２−６５９５１号公報（図１４〜図２１、段落番号００５５〜００７０）
【発明の概要】
【発明が解決しようとする課題】
【００１６】
近時、コインセレクタに対する不正の手口はますます巧妙になり、不正防止対策の強化が要求されている。特に、不正用器具を挿入してコインセンサに対してアクセスする不正行為に対しては、より確実な対策が望まれている。
【００１７】
第１の従来技術では、柔軟性を有する板状部材からなる不正用器具を使用した場合、投入口から挿入された不正用器具の先端部分がコイン検知通路に到達する可能性があり、不正行為を十分に防止できないという難点がある。
【００１８】
第２の従来技術では、メダル有無検出用および堰き止め部材位置検出用の２つのセンサを追加する必要があり、コストが増加するという難点がある。
【００１９】
第３の従来技術では、第２ユニットに設けられたメダル検出センサとは別に、第１ユニットに回動検出用およびメダル検出用の２つのセンサを追加する必要があり、第２の従来技術と同様に、コストが増加するという難点がある。
【００２０】
第４の従来技術では、メダルが付勢部材の付勢力に抗して揺動部材の突出部を押し上げながら移動するので、移動するメダルが減速されてしてしまい処理能力が低下するという難点がある。
【００２１】
第５の従来技術では、メダル当接部材がメダル通過力を受けたときのみメダル通路外に退避するようにバネにより付勢されている。そのため、第４の従来技術と同様に、メダルがメダル当接部材上を通過する際に減速されてしてしまい処理能力が低下するという難点がある。
【００２２】
一般にコインセレクタにコインが連続して投入されることがあり、その場合にもコインセレクタが所定の処理を確実かつ高速に実行することが求められる。例えば、パチスロ用コインセレクタでは、パチスロ本体がコイン受入許可状態である場合には出口からコインが排出され、コイン受入拒否状態にある場合にはコイン通路からコインを排除して出口からコインが排出されないよう処理されるが、コイン受入許可状態からコイン受入拒否状態への移行時においてコインの排除が遅れると、排除されるべきコインがパチスロ本体に受け入れられてしまう、所謂「呑み込み」が生じる虞がある。この呑み込みの発生は、コインセレクタとしての信頼性を低下させることになる。
【００２３】
本発明は上記状況を鑑み、新たな発想に基づいてなされたものであり、その目的とするところは、コイン検知装置に対する不正を確実に防止できるコインセレクタを提供することにある。
本発明の他の目的は、不正用器具を挿入してもコイン検知装置に容易に到達できないコインセレクタを提供することにある。
本発明のさらに他の目的は、呑み込みの発生を確実に防止し、信頼性の高いコインセレクタを提供することにある。
本発明のさらに他の目的は、不正行為を確実に防止できると共に、高速処理が可能なコインセレクタを提供することにある。
本発明のさらに他の目的は、コストを抑制しながら不正行為を確実に防止できるコインセレクタを提供することにある。
本発明のさらに他の目的は、コイン検知装置に対する不正を確実に防止できるコインセレクタの不正防止装置を提供することにある。
本発明のさらに他の目的は、不正用器具を挿入してもコイン検知装置に容易に到達できないコインセレクタの不正防止装置を提供することにある。
本発明のさらに他の目的は、コインセレクタの処理速度を低下させることなく、不正行為を防止できるコインセレクタの不正防止装置を提供することにある。
本発明のさらに他の目的は、コストを抑制しながら不正行為を確実に防止できるコインセレクタの不正防止装置を提供することにある。
ここに明記しない本発明の他の目的は、以下の説明および添付図面から明らかである。
【課題を解決するための手段】
【００２４】
この目的を達成するため、本発明に係るコインセレクタおよびコインセレクタの不正防止装置は以下のように構成される。
【００２５】
（１）本発明のコインセレクタは、投入されたコインが転動する下向きの軸線に沿って延在するコイン通路と、前記コインが前記コイン通路を転動する過程で、少なくとも前記コインの直径により真偽を判別し、偽コインを前記コイン通路から排除するコイン選別部と、前記コイン選別部に対し前記コイン通路の下流において前記コインを検知するコイン検知装置と、前記コイン検知装置に対し前記コイン通路の上流側に配置され、前記コイン通路の側方において前記コイン通路の軸線に対し直交方向に延在する回転軸線の回りを回転可能であって、回転に伴って前記コイン通路に出没可能な少なくとも３枚の羽根を有する羽根車と、を備え、前記コイン通路において前記羽根車の前後する２枚の羽根の間に前記コインが１枚ずつ挟まれるよう前記羽根が配置されるコインセレクタである。
【００２６】
本発明のコインセレクタでは、コインセレクタに投入されたコインは下向きの軸線に沿って延在するコイン通路を転動し、その転動する過程で、コイン選別部において少なくともコインの直径により真偽が判別されて偽コインがコイン通路から排除される。コイン選別部で真正コインと判別されたコインはコイン選別部に対しコイン通路の下流においてコイン検知装置により検出される。
【００２７】
コイン検知装置に対しコイン通路の上流側には、コイン通路の側方においてコイン通路の軸線に対し直交方向に延在する回転軸線の回りを回転可能な羽根車が配置されている。羽根車はコイン通路に出没可能な少なくとも３枚の羽根を有しており、コイン通路において羽根車の前後する２枚の羽根の間にコインが１枚ずつ挟まれるよう羽根が配置されている。
【００２８】
コイン選別部で真正コインと判別されたコインは、コイン通路に突出する羽根に接触（または衝突）し、当該羽根にコイン通路の下流側に向かう力が作用する。換言すれば、コイン通路を移動するコインがコイン通路に突出する羽根を押動する。これにより、羽根車の羽根がコイン通路の下流側に向かう方向に回転し、羽根車の前後する２枚の羽根の間にコインが１枚ずつ挟まれながら移動する。羽根車の回転に伴ってコインの進行方向前方に位置する羽根がコイン通路から退出すると、コインの羽根への作用力がなくなって羽根車が停止し、コインはコイン通路の下流へ移動してコイン検知装置により検知された後、コインセレクタの出口から排出される。
【００２９】
コイン選別部で真正コインとして判別されたコインの受入を拒否する場合、羽根の１枚がコイン通路を横切った状態で羽根車の回転を強制的に停止する。これにより、コイン通路におけるコインの移動がコイン通路に突出する羽根に阻止される。換言すれば、羽根車の羽根がコインの移動を規制する規制体として機能する。
【００３０】
コインセレクタの入口（換言すれば、コイン投入口）から例えば板状の不正用器具が挿入された場合、不正用器具の先端がコイン通路に突出する羽根を押動して羽根車が回転する。この状態で不正用器具をさらに押し進めると、不正用器具の先端により押動された羽根に対し回転方向後方に位置する羽根がコイン通路に突出し、当該後方の羽根によって不正用器具がコイン通路の内面に押し付けられる。これにより、不正用器具をそれ以上押し進めることが出来なくなる。したがって、不正用器具を挿入してもコイン検知装置に到達できず、コイン検知装置に対する不正を確実に防止することができる。
【００３１】
他方、コインセレクタに複数のコインが連続して投入された場合、コイン通路において先行するコインと後続のコインとが羽根を介して分離されるため、羽根車の停止に伴い後続のコインの移動が羽根により規制される。したがって、呑み込みの発生が確実に防止され、信頼性が高まる。
【００３２】
また、コイン通路において前後する２枚羽根の間に挟まれるので、コイン通路を転動する複数のコインのそれぞれが羽根車に回転力を及ぼし、羽根車の回転が持続されるので、第４の従来技術および第５の従来技術のように付勢部材を用いたものに比べてコインの移動速度が大きくなり、高速処理が可能となる。
【００３３】
さらに、検知器を追加しなくとも不正行為が防止されるので、コストが抑制される。
【００３４】
なお、本発明における羽根車は、回転軸線の外方に向けて放射状に延在する羽根を有するものを意味する。
【００３５】
（２）本発明のコインセレクタにおいて、前記回転軸線に沿う方向の視線において前記羽根が弧状に湾曲し、前記コイン通路に突出した直後において前記羽根の前記コイン通路に突出する部位が前記コイン通路の軸線に対して鋭角をなし、前記羽根が前記コイン通路から退出する直前において前記羽根の前記コイン通路に突出する部位が前記コイン通路の軸線に対してほぼ平行をなすよう形成されることが好ましい。コイン通路に突出した直後において羽根のコイン通路に突出する部位がコイン通路の軸線に対して鋭角をなす場合、羽根を弧状に湾曲させることによって羽根の先端がコイン通路の軸線に対して比較的大きな角度（換言すれば、より垂直に近い角度）でコイン通路に侵入する。これにより、コインが羽根に接触（または、衝突）した直後から羽根車に対し比較的大きな回転力を及ぼすことができる。そして、羽根がコイン通路から退出する直前において羽根のコイン通路に突出する部位がコイン通路の軸線に対してほぼ平行になるので、この時点で羽根がコインに及ぼす抗力がなくなる。したがって、羽根車がコインの移動速度に及ぼす影響を小さくすることができる。さらに、コイン通路においてコインが連なって移動する場合、羽根がコイン通路から退出した直後に、後続のコインによる羽根の押動が開始される。換言すれば、先行するコインによる羽根車の回転が停止する前に、後続のコインによる回転力が羽根車に作用する。そのため羽根車の回転速度が大きくなり、コインセレクタの処理速度をより高めることができる。
【００３６】
（３）本発明のコインセレクタにおいて、前記羽根車に対し、前記コインが下流へ移動する方向の回転は許容するが逆方向の回転を阻止するワンウェイクラッチが付設されることが好ましい。コインに天蚕糸等を括り付けたものを使用した不正行為の場合には、そのコインをコイン検知装置に到達させることができる。しかしながら、コインを引き抜く際に羽根車の羽根によってコインの逆方向の移動が阻止されてコインを引き抜くことが出来なくなり、このような不正行為も確実に防止できる。
【００３７】
（４）本発明のコインセレクタにおいて、前記羽根には先端から回転軸線側に向かって先すぼまり状のＶ字形切り欠きが形成され、当該切り欠きによって、前記羽根には前記コイン通路における前記コインの上端部および下端部に対応する先細りの先端部分が形成されることが好ましい。コイン通路における先行するコインの一面と後続のコインの一面との間には、コインの中心を通り且つコイン通路の軸線に平行な直径線に対し上方および下方に遠ざかる程大きくなる隙間が生じる。Ｖ字形切り欠きを形成することにより、羽根の先端部分が当該隙間に侵入することになり、先行するコインと後続のコインとをより確実に分離することができる。さらに、コインが羽根の切り欠き内に進入し、コインの周面が切り欠きに接触して羽根を押動することになるので、先行するコインと後続のコインとの間隔が小さくなり、処理速度をより高めることができる。
【００３８】
（５）本発明のコインセレクタにおいて、前記羽根車の回転を検出する回転検出装置を備えることが好ましい。これにより、羽根車の回転が検出されていないにも拘わらずコイン検知装置によりコインが検知された場合、コイン検知装置に対する不正が行われた可能性があると判定できる。換言すれば、コイン検知装置に対する不正を検知できるので、不正行為を防止する効果をより高めることができる。この場合、１つの検知器を追加するだけで済むため、第２および第３の従来技術に比べてコストの増加を抑制できる。
【００３９】
（６）本発明のコインセレクタにおいて、上記（５）の前記回転検出装置は、検知器と、前記羽根車と共に回転し、かつ、前記検知器の作用領域および非作用領域を有する回転体と、を含み、前記作用領域または前記非作用領域が前記羽根のそれぞれに対応して形成されることが好ましい。この場合、羽根のそれぞれの回転位置に対応して検知器の出力信号が変化する。換言すれば、コイン通路において突出する羽根を押動するコインのそれぞれに対応して検知器の出力信号が変化する。さらに換言すれば、コイン通路において羽根車を通過するコインが検知器により検知される。したがって、回転検出装置の検知器によるコインの検知とコイン検知装置によるコインの検知とが一対一で対応するので、コイン検知装置に対する不正をより確実に検知できる。
【００４０】
（７）本発明のコインセレクタにおいて、前記羽根車に対し、前記コインが前記コイン通路の下流へ移動する方向の回転を停止する回転停止装置を備えることが好ましい。これにより、羽根車の回転が強制的に停止され、コインセレクタの出口からコインが排出されないようにすることができる。
【００４１】
（８）本発明のコインセレクタにおいて、上記（７）の前記回転停止装置は、前記羽根の回転経路に出没可能なストッパを含み、突出した前記ストッパが前記羽根の移動を阻止することにより前記羽根車の回転が停止されることが好ましい。これにより、比較的簡単な構成で羽根車を確実に停止することができ、低コストでの実現が可能である。
【００４２】
（９）本発明のコインセレクタにおいて、上記（８）の前記ストッパは支軸に回動自在に支持された揺動レバと当該揺動レバの先端に設けられた係止体とを有し、前記揺動レバの回動により、前記係止体が前記羽根の回転経路に突出して前記羽根の移動を阻止する位置と、前記係止体が前記羽根の回転経路から退出して前記羽根の移動を許容する位置とに変位可能であることが好ましい。この場合、コインの移動により押動されて回転する羽根に係止体が接触（または、衝突）すると、係止体には羽根の進行方向に向かう力が作用する。係止体は回動可能に支持された揺動レバの先端に設けられているので、羽根の進行方向と係止体が突出する際の揺動レバの回転方向とが同じ向きになるよう揺動レバを設ければ、係止体と回転する羽根とが接触（または、衝突）することにより、係止体を突出させる方向に揺動レバが回転する。換言すれば、係止体と回転する羽根との接触（または、衝突）により、係止体の羽根の回転経路への突出が促進される。したがって、羽根車の回転を許容する位置から羽根車の回転を停止する位置へ規制体の変位する時間が短縮され、ストッパとしての応答速度が速くなる。したがって、呑み込みの発生をより効果的に防止できる。
【００４３】
（１０）本発明のコインセレクタにおいて、前記羽根車の回転停止に連動して前記コイン通路から前記コインを落下させるコイン落下装置を備えることが好ましい。これにより、コイン通路に突出する羽根に移動を阻止されたコインを速やかにコイン通路から排除できる。
【００４４】
（１１）本発明のコインセレクタにおいて、上記（１０）の前記コイン落下装置が、前記コイン通路の軸線にほぼ平行な支軸を中心に回動することにより前記コインが転動できる第１姿勢と前記コインが自重により落下する第２姿勢とに姿勢変更可能な可動ガイドレールと、前記可動ガイドレールを前記第１姿勢に保持する保持体と、を含み、前記羽根車の回転停止に連動して前記保持体による前記可動ガイドレールの保持が解除されることが好ましい。これにより、比較的簡単な構成でストッパと連動するコイン落下装置を実現でき、コストを抑制することができる。
【００４５】
（１２）本発明のコインセレクタの不正防止装置は、入口から投入されたコインが転動する下向きの軸線に沿って延在するコイン通路を有し、前記コインが前記コイン通路を転動する過程において、コイン選別部により少なくとも前記コインの直径を判別して偽コインを排除すると共に、前記コイン選別部に対し前記コイン通路の下流においてコイン検知装置により前記コインを検知し、検知された前記コインが出口から排出されるコインセレクタにおける不正防止装置であって、前記コイン通路の側方において前記コイン通路の軸線に対し直交方向に延在する回転軸線の回りを回転可能であって、回転に伴って前記コイン通路に出没可能な少なくとも３枚の羽根を有する羽根車を備え、前記コイン通路において前記羽根車の前後する２枚の羽根の間に前記コインが１枚ずつ挟まれるよう前記羽根が配置される、コインセレクタの不正防止装置である。
【００４６】
本発明のコインセレクタの不正防止装置では、コイン通路を転動するコインがコイン通路に突出する羽根に接触（または衝突）し、当該羽根にコイン通路の下流側に向かう力が作用する。換言すれば、コイン通路を移動するコインがコイン通路に突出する羽根を押動する。これにより、羽根車は羽根がコイン通路の下流側に向かう方向に回転し、羽根車の前後する２枚の羽根の間にコインが１枚ずつ挟まれながら移動する。羽根車の回転に伴ってコインの進行方向前方に位置する羽根がコイン通路から退出すると、コインが及ぼす羽根への作用力がなくなって羽根車が停止する。
【００４７】
コインセレクタのコイン通路に例えば板状の不正用器具が挿入された場合、不正用器具の先端がコイン通路に突出する羽根を押動して羽根車が回転する。この状態で不正用器具をさらに押し進めると、不正用器具の先端により押動された羽根に対し回転方向後方に位置する羽根がコイン通路に突出し、当該後方の羽根によって不正用器具がコイン通路の内面に押し付けられる。これにより、不正用器具をそれ以上押し進めることが出来なくなる。したがって、コインセレクタの入口とコイン検知装置との間、または、コインセレクタの出口とコイン検知装置との間に当該不正防止装置を配置することにより、不正用器具を挿入してもコイン検知装置に到達できず、コイン検知装置に対する不正を確実に防止することができる。
【００４８】
また、コイン通路において前後する２枚羽根の間に挟まれるので、コイン通路を転動する複数のコインのそれぞれが羽根車に回転力を及ぼし、羽根車の回転が持続されるので、第４の従来技術のように付勢部材を用いたものに比べてコインの移動速度が大きくなり、高速処理が可能となる。換言すれば、コインセレクタの処理速度を低下させることなく、不正行為を防止できる。
【００４９】
羽根車は、コイン検知装置に対し、コイン通路の上流側または下流側に配置できるが、上流側に配置することが好ましい。コインセレクタの入口から不正用器具を挿入する方が不正行為者にとって容易であり、これを防止することがより重要となるからである。
【００５０】
（１３）本発明のコインセレクタの不正防止装置において、前記回転軸線に沿う方向の視線において前記羽根が弧状に湾曲し、前記コイン通路に突出した直後において前記羽根の前記コイン通路に突出する部位の接線は前記コイン通路の軸線に対して鋭角をなし、前記羽根が前記コイン通路から退出する直前において前記羽根の前記コイン通路に突出する部位の接線は前記コイン通路の軸線に対してほぼ平行をなすよう形成されることが好ましい。コイン通路に突出した直後において羽根のコイン通路に突出する部位がコイン通路の軸線に対して鋭角をなす場合、羽根を弧状に湾曲させることによって羽根の先端がコイン通路の軸線に対して比較的大きな角度（換言すれば、より垂直に近い角度）でコイン通路に侵入する。これにより、コインが羽根に接触（または、衝突）した直後から羽根車に対し比較的大きな回転力を及ぼすことができる。そして、羽根がコイン通路から退出する直前において羽根のコイン通路に突出する部位がコイン通路の軸線に対してほぼ平行になるので、この時点で羽根がコインに及ぼす抗力がなくなる。したがって、羽根車がコインの移動速度に及ぼす影響を小さくすることができる。さらに、コイン通路においてコインが連なって移動する場合、羽根がコイン通路から退出した直後に、後続のコインによる羽根の押動が開始される。換言すれば、先行するコインによる羽根車の回転が停止する前に、後続のコインによる回転力が羽根車に作用する。そのため羽根車の回転速度が大きくなり、コインセレクタの処理速度をより高めることができる。
【００５１】
（１４）本発明のコインセレクタの不正防止装置において、前記羽根車に対し、前記コインが下流へ移動する方向の回転は許容するが逆方向の回転を阻止するワンウェイクラッチが付設されることが好ましい。コインに天蚕糸等を括り付けたものを使用した不正行為の場合には、そのコインをコイン検知装置に到達させることができる。しかしながら、コインを引き抜く際に羽根車の羽根によってコインの逆方向の移動が阻止されて引き抜くことが出来なくなり、このような不正行為も確実に防止できる。
【００５２】
（１５）本発明のコインセレクタの不正防止装置において、前記羽根には先端から回転軸線側に向かって先すぼまり状のＶ字形切り欠きが形成され、当該切り欠きによって、前記羽根には前記コイン通路における前記コインの上端部および下端部に対応する先細りの先端部分が形成されることが好ましい。コイン通路における先行するコインの一面と後続のコインの一面との間には、コインの中心を通り且つコイン通路の軸線に平行な直径線に対し上方および下方に遠ざかる程大きくなる隙間が生じる。Ｖ字形切り欠きを形成することにより、羽根の先端部分が当該隙間に侵入することになり、先行するコインと後続のコインとをより確実に分離することができる。さらに、コインが羽根の切り欠き内に進入し、コインの周面が切り欠きに接触して羽根を押動することになるので、先行するコインと後続のコインとの間隔が小さくなり、処理速度をより高めることができる。
【００５３】
（１６）本発明のコインセレクタの不正防止装置において、前記羽根車の回転を検出する回転検出装置を備えることが好ましい。これにより、羽根車の回転が検出されていないにも拘わらずコイン検知装置によりコインが検知された場合、コイン検知装置に対する不正が行われた可能性があると判定できる。換言すれば、コイン検知装置に対する不正を検知できるので、不正行為を防止する効果をより高めることができる。この場合、１つの検知器を追加するだけで済むため、第２および第３の従来技術に比べてコストの増加を抑制できる。
【００５４】
（１７）本発明のコインセレクタの不正防止装置において、上記（１６）の前記回転検出装置は、検知器と、前記羽根車と共に回転し、かつ、前記検知器の作用領域および非作用領域を有する回転体と、を含み、前記作用領域または前記非作用領域が前記羽根のそれぞれに対応して形成されることが好ましい。この場合、羽根のそれぞれの回転位置に対応して検知器の出力信号が変化する。換言すれば、コイン通路において突出する羽根を押動するコインのそれぞれに対応して検知器の出力信号が変化する。さらに換言すれば、コイン通路において羽根車を通過するコインが検知器により検知される。したがって、回転検出装置の検知器によるコインの検知とコイン検知装置によるコインの検知とが一対一で対応するので、コイン検知装置に対する不正をより確実に検知できる。
【発明の効果】
【００５５】
本発明のコインセレクタでは、（ａ）コイン検知装置に対する不正を確実に防止できる、（ｂ）不正用器具を挿入してもコイン検知装置に容易に到達できない、（ｃ）呑み込みの発生を確実に防止でき、信頼性が高まる、（ｄ）不正行為を確実に防止できると共に、高速処理が可能である、（ｅ）コストを抑制しながら不正行為を確実に防止できる、といった効果が得られる。
本発明のコインセレクタの不正防止装置では、（ａ）コイン検知装置に対する不正を確実に防止できる、（ｂ）不正用器具を挿入してもコイン検知装置に容易に到達できない、（ｃ）コインセレクタの処理速度を低下させることなく、不正行為を防止できる、（ｄ）コストを抑制しながら不正行為を確実に防止できる、といった効果が得られる。
【図面の簡単な説明】
【００５６】
【図１】本発明の一実施例のコインセレクタを示す正面斜視図である。
【図２】図１のコインセレクタの正面図である。
【図３】図１のコインセレクタの（Ａ）は左側面図、（Ｂ）は右側面図である。
【図４】図１のコインセレクタの背面図である。
【図５】図１のコインセレクタの上面図である。
【図６】図１のコインセレクタの開閉体およびカバ部材を取り除いた状態の正面図である。
【図７】図１のコインセレクタのカバ部材を取り除いた状態の正面図である。
【図８】図１のコインセレクタのカバ部材を取り除いた状態の図７のＡ−Ａ線に沿った断面図である。
【図９】図１のコインセレクタにおける開閉体を示す背面図である。
【図１０】図１のコインセレクタの本体を除いた状態の背面斜視図である。
【図１１】図１のコインセレクタにおける羽根車を示す（Ａ）は概略斜視図、（Ｂ）は概略正面図である。
【図１２】図１１の羽根車の羽根とコイン通路の関係を説明するための（Ａ）は羽根がコイン通路に突出した直後の状態、（Ｂ）は羽根がコイン通路から退出する直前の状態を示す要部概略断面図である。
【図１３】図１のコインコレクタにおける回転停止装置およびコイン落下装置を示す、（Ａ）はコイン受入拒否状態、（Ｂ）はコイン受入許可状態の要部概略背面図である。
【図１４】図１３のＢ−Ｂ線に沿った断面図である。
【図１５】図１のコインセレクタにおけるコイン落下装置の姿勢保持機構を示す、（Ａ）は非保持状態、（Ｂ）は保持状態の要部概略底面図である。
【図１６】図１のコインセレクタにおける不正防止装置の（Ａ）はワンウェイクラッチ、（Ｂ）は回転検出装置を示す要部概略斜視図である。
【図１７】図１のコインセレクタにおける糸吊り防止装置の（Ａ）は静止状態、（Ｂ）はコイン通過時の状態、（Ｃ）は逆行防止時の状態を示す要部概略断面図である。
【図１８】図１のコインセレクタのコイン受入許可状態における作動を説明するための要部概略断面図である。
【図１９】図１のコインセレクタのコイン受入許可状態における作動を説明するための要部概略断面図で、図１８の続きである。
【図２０】図１のコインセレクタのコイン受入許可状態からコイン受入拒否状態に移行した場合の作動を説明するための要部概略断面図である。
【図２１】図１のコインセクタに不正用器具を挿入した場合の（Ａ）は挿入直後の状態、（Ｂ）はさらに挿入された状態、（Ｃ）は羽根車の羽根に挟まれた状態を示す要部概略断面図である。
【図２２】図１のコインセレクタにおける正常時の回転検出装置およびコイン検知装置の出力信号の一例を示す波形図である。
【図２３】図１のコインセレクタにおける正常時の回転検出装置およびコイン検知装置の出力信号の他の例を示す波形図である。
【図２４】図１のコインセレクタにおける異常時の回転検出装置およびコイン検知装置の出力信号を示す波形図である。
【発明を実施するための形態】
【００５７】
以下、本発明の実施の形態を添付図面に基づいて説明する。
【実施例】
【００５８】
本発明の一実施例のコインセレクタ１００は、図１〜図１０に示すように、コインセレクタ１００を構成する各種部品が取り付けられた本体１０２と、本体１０２に対しピボット運動可能に支持された開閉体１０４と、本体１０２と開閉体１０４の間に形成されたコイン通路１０６と、コインＣがコイン通路１０６を転動する過程でコインＣの真偽を判別し、偽コインと判別されたコインＣをコイン通路１０６から排除するコイン選別部１０８と、コイン通路１０６内のコインＣを強制的に排除するリジェクト装置１１０と、コイン選別部１０８で真正コインとして判別されたコインＣの受け入れを規制するコイン受入規制装置１１２と、コイン受入規制装置１１２により受け入れを規制されたコインＣをコイン通路１０６から落下させるコイン落下装置１１４と、コイン受入規制装置１１２により受け入れを規制されずにコイン通路１０６の下流に移動したコインＣを検知するコイン検知装置１１６と、本体１０２の前面側に取り付けられたカバ部材１１８と、コインＣをコイン通路１０６内に受け入れる入口１２２と、コイン通路１０６からコインＣを遊技機に向けて排出する出口１２４と、コイン通路１０６において出口１２４の近傍に配置された糸吊り防止装置１２０と、不正用器具によるコイン検知装置に対する不正を防止する不正防止装置１２６と、を含んで構成されている。
【００５９】
（本体）
本体１０２は、略矩形の第１ガイド壁１３２、第１ガイド壁１３２の左右両端部に形成されると共に第１ガイド壁１３２の表面および裏面に対し直角な方向にそれぞれ突出する左側壁１３４および右側壁１３６を有している。本体１０２の幅は３．５インチであり、所謂デフェクトスタンダードサイズと呼ばれる寸法である。左側壁１３４および右側壁１３６には外向きに突出する４つの取り付け用突起１４２が形成されており、これらの突起１４２を遊技機の取り付け溝（図示せず）に掛け止めすることによりコインセレクタ１００を遊技機に取り付けられることができる。
【００６０】
左側壁１３４および右側壁１３６は、水平方向に延在する上端面１３４ａ、１３６ａおよび下端面１３４ｂ、１３６ｂをそれぞれ有し、水平面に対し垂立している（図３（Ａ）および（Ｂ）参照）。第１ガイド壁１３２の下端は第１ガイド壁１３２の上端に対し本体１０２の裏面側に後退し、第１ガイド壁１３２は前倒しに傾斜している。換言すれば、第１ガイド壁１３２は、上端面１３４ａ、１３６ａおよび下端面１３４ｂ、１３６ｂに直角な垂直面に対し、所定の傾斜角を有している。
【００６１】
本体１０２の表面側において、第１ガイド壁１３２、左側壁１３４および右側壁１３６により凹溝１３８が形成されている（図６参照）。この凹溝１３８内において、第１ガイド壁１３２の表面がコインＣの一面を案内する第１コイン案内面１４０として機能する。第１ガイド壁１３２には、その上部において前面側に突出する突部１４５が形成されている（図６参照）。突部１４５の下端面１４５ａは、第１ガイド壁１３２の上端から右斜め下方に湾曲し、さらに右斜め下方に直線的に延在して右側壁１３６に達している。突部１４５の突出する高さは、コインＣの厚みより僅かに大きい寸法に設定されている。突部１４５は、その下端面１４５ａと後述するガイドレール２５６との間隔が選別対象のコインＣ（すなわち、真正コイン）の直径より僅かに大きくなるよう形成される。
【００６２】
左側壁１３４の前端１３４ｃには、第１ガイド壁１３２に対応して傾斜した底面１４３ａを有する略矩形の凹部１４３が形成されている（図３（Ａ）参照）。右側壁１３６の下方には、コインＣが排出される縦長矩形の出口１２４が形成されている。出口１２４の長手方向は第１ガイド壁１３２に対応して傾斜している。
【００６３】
第１ガイド壁１３２は、その右下方に配置された斜め右下がりの円弧状に形成された上端面１４９ａを有する突部１４９を有している（図７参照）。突部１４９の上端面１４９ａは、ガイドレール１４４として機能する。ガイドレール１４４は、後述の可動ガイドレール４０２に連なるよう配置され、コイン通路１０６を移動するコインＣを出口１２４に案内する機能を有している。本実施例では、ガイドレール１４４が第１ガイド壁１３２と一体で形成されているが、別体で形成されたガイドレール１４４を第１ガイド壁１３２に取り付けてもよい。
【００６４】
本体１０２の背面側において、第１ガイド壁１３２は、ほぼ円錐台の一部を切り欠いたものを上下対称に接続した外形状を有し、本体１０２の裏面側に突出するカバ部１４６を有している（図４および図８参照）。カバ部１４６の内部には、後述する羽根車３０２の回転に伴って形成される回転領域（以下、羽根車回転領域という）に対応する空間が形成されている。カバ部１４６は、本体１０２の裏面側において羽根車３０２を覆い、羽根車３０２を保護する機能を有している。本実施例では、カバ部１４６が第１ガイド壁１３２と一体で形成されている。
【００６５】
本体１０２には、開閉体１０４を回動自在に支持する一対の支軸１５２、１５４が設けられている。支軸１５２、１５４は、凹溝１３８内において、第１ガイド壁１３２に対し平行で、かつ、本体１０２の右上部から左下がりで傾斜する軸線Ｌ１上に配置される（図６参照）。
【００６６】
（開閉体）
開閉体１０４は、第１ガイド壁１３２と平行に配置される第２ガイド壁２０２および第３ガイド壁２０３と、第２ガイド壁２０２の周縁部から前面側に突出する開閉体枠２０４とを有している。第３ガイド壁２０３は、図９に示すように、平面視略三角形の板状に形成され、第２ガイド壁２０２から分離して配置されている。第２ガイド壁２０２および第３ガイド壁２０３の第１ガイド壁１３２に相対する面は、コインＣの一面を案内する第２コイン案内面２０６として機能する。第２ガイド壁２０２の中央には、コイン通路１０６に沿った弧状のコイン落下開口２０８が形成されている。コイン落下開口２０８は、コイン通路１０６を転動するコインＣが小径の偽コインである場合にそのコインＣを落下させるためのものである。
【００６７】
図９に示すように、第２ガイド壁２０２の裏面（すなわち、第１ガイド壁と相対する面）においてコイン落下開口２０８の下方には、斜め右下がり（図９では斜め左下がり）の弧状の上端面２５３を有する第１ガイドプレート２５２が取り付けられている。第１ガイドプレート２５２は、コインＣの厚みより僅かに大きい厚みを有している。第１ガイドプレート２５２の上端面２５３は、入口１２２から投入されたコインＣの外周面を右下方へ案内するガイドレール２５６として機能する。
【００６８】
開閉体枠２０４は、上側枠部２１２、左側枠部２１３、下側枠部２１４および右側枠部２１５により構成されている。開閉体１０４は、右側枠部２１５の上部において右側方に延在する上側揺動レバ２１６と、右側枠部２１５の下部において右側方に延在してから下方に折れ曲がった下側揺動レバ２１８を有している（図１および図７参照）。上側揺動レバ２１６および下側揺動レバ２１８の先端部には軸挿入孔２２０、２２２が形成されており、本体１０２の支軸１５２、１５４が軸挿入孔２２０、２２２に挿入されることにより開閉体１０４が本体１０２に対して軸線Ｌ１（図２参照）を中心にピボット運動可能に支持される。そのため、開閉体１０４は、第１ガイド壁１３２と第２ガイド壁２０２および第３ガイド壁２０３とが相対する閉止位置と、第２ガイド壁２０２および第３ガイド壁２０３が第１ガイド壁１３２に対して離れる開放位置とに変位できる。
【００６９】
上側揺動レバ２１６の上部には上方に突出する円柱状の掛止突起２２４が形成され、本体１０２の右上部には上方に突出する円柱状の掛止突起１５６が形成されている。掛止突起２２４にはバネ２２６の一端が掛け止めされ、掛止突起１５６にはバネ２２６の他端が掛け止めされている。これにより、開閉体１０４には支軸１５２、１５４を中心軸とするモーメントが生じ、開閉体１０４が第1ガイド壁１３２に向かう付勢力を受ける。換言すれば、開閉体１０４には、第１ガイド壁１３２に近づくように弾性的な回動力が常時作用する。
【００７０】
バネ２２６により付勢された開閉体１０４は、その裏面に取り付けられた後述の第２ガイドプレート２６０と本体１０２の突部１４５とが当接することにより閉止位置で停止される。この状態において、第１コイン案内面１４０および第２コイン案内面２０６の間にコインＣの厚みより僅かに大きい空間が形成される。
【００７１】
左側枠部２１３には、左外方に突出する突部２１９が形成されている。左側壁１３４の凹部１４３は突部２１９に対応して配置されており、開閉体１０４の回動時に突部２１９は凹部１４３内に進入可能である。これにより、突部２１９の左側壁１３４への接触が防止される。換言すれば、凹部１４３が突部２１９の逃げ溝として機能する。この突部２１９に第１ガイドプレート２５２の左端部（図９では右端部）を延在させることにより、ガイドレール２５６が本体１０２の左側壁１３４に近接して配置され、入口１２２から投入されたコインＣがガイドレール２５６上を円滑に移動することができる。
【００７２】
上側揺動レバ２１６および下側揺動レバ２１８の間には、本体１０２のカバ部１４６と同様に、ほぼ円錐台の一部を切り欠いたものを上下対称に接続した外形状を有するカバ部２３０が形成されている。カバ部２３０の内部には、羽根車回転領域に対応する空間が形成されている。カバ部２３０の左側端部２３２には、図３（Ａ）に示すように、第２ガイド壁２０２の表面に直角な直線Ｌ２に対して対称な一対の切り欠き２３４、２３６が形成されている。これにより、カバ部２３０の左側端部２３２は、上部分２３８、中間部分２４０、下部分２４２を有するＥ字形に形成される。第３ガイド壁２０３は、左側端部２３２の中間部分２４０の先端に支持されている（図２参照）。カバ部２３０の右側端部２４４（図７参照）にも左側端部２３２と同様の切り欠き（図示せず）が形成されている。
【００７３】
開閉体１０４の表面には、後述のコイン落下開口２０８の下端から下側枠部２１４に延びる複数の案内突条２８６が形成されている（図１参照）。案内突条２８６は、開閉体１０４の表面から斜め下方に向かうにつれて高くなり、下側枠部２１４に形成された弧状端面２８８の高さと同じになるよう傾斜している。これにより、コイン落下開口２０８から落下したコインＣは、案内突条２８６を滑落して弧状端面２８８から本体１０２の斜め前方へ向かう傾斜姿勢で下方に落下する。
【００７４】
（コイン通路）
コイン通路１０６は、第１ガイド壁１３２の第１コイン案内面１４０と、第２ガイド壁２０２の第２コイン案内面２０６および後述のカバ部材１１８の第４コイン案内面４９４と、ガイドレール２５６、１４４およびガイドレール２５６、１４４の間に配置された可動ガイドレール４０２（後述）と、本体１０２の突部１４５の下端面１４５aにより画定され、入口１２２から出口１２４へ向けてコインＣを転動させる機能を有する。コイン通路１０６は、入口１２２からほぼ垂直に下降してから右方向へ湾曲する第１コイン通路部１６２（図１および図６参照）と、第１コイン通路部１６２に連なり、かつ、下向きの軸線Ｌ３に沿って延在する第２コイン通路部１６４（図６参照）と、第２コイン通路部１６４に連なり、かつ、右方向へ湾曲しながら斜め右下がりに延在する第３コイン通路部１６６（図６参照）と、を有している。第３コイン通路部１６６は、本体１０２の正面側から見て、後述の羽根車３０２の回転軸線ＲＬに対し僅かに右方向にシフトした位置から第２コイン通路部１６４の軸線Ｌ３よりも下方に向かって延在し、出口１２４に通じている。そのため、軸線Ｌ３に沿って第２コイン通路部１６４を転動するコインＣは、その中心が回転軸線ＲＬの近傍を通過した直後に第３コイン通路部１６６に導入され、軸線Ｌ３に対し右斜め下方に移動方向が変更された後、出口１２４から排出される。
【００７５】
コイン通路１０６において、第１ガイド壁１３２の第１コイン案内面１４０には、ガイドレール２５６に沿って複数の突条１４７が形成されている（図６参照）。これらの突条１４７は、入口１２２から垂直に下降してから湾曲した後、右斜め下方に向けて延在している。突条１４７は、コイン通路１０６を転動するコインＣの移動抵抗を低減する機能を有している。
【００７６】
（コイン選別部）
コイン選別部１０８は、第１コイン通路部１６２において直径によりコインＣの真偽を判別し、小径の偽コインをコイン通路１０６から排除する機能を有する。コイン選別部１０８は、第２ガイド壁２０２の裏面に取り付けられた第２ガイドプレート２６０と、第１コイン通路部１６２を転動するコインＣをコイン落下開口２０８へ向けて逸らす逸らせ装置２６２とにより構成される。
【００７７】
まず、図９を参照しながら第２ガイドプレート２６０について説明する。第２ガイドプレート２６０は、コイン落下開口２０８の上方に配置され、斜め右下がり（図９では斜め左下がり）の下端面２６４と、第２コイン案内面２０６と同一の平面内に位置する第３コイン案内面２６６と、を有している。第２ガイドプレート２６０は、その下端面２６４が第１ガイド壁１３２の突部１４５の下端面１４５ａに対し下方に位置するよう配置される。第３コイン案内面２６６は、開閉体１０４が閉止位置に位置する状態で第１コイン案内面１４０に対しコインＣの厚みより僅かに大きい間隔を置いて配置される。下端面２６４は、ガイドレール２５６（換言すれば、第１ガイドプレート２５２の上端面２５４）に対し平行となるよう相似に湾曲した湾曲面２６４ａと、後述の可動ガイドレール４０２に対し平行な平面２６４ｂと、を有している。下端面２６４とガイドレール２５６との間隔は、選別対象のコインＣ（すなわち、真正コイン）の直径に対応した寸法に設定され、例えば、真正コインの直径よりも僅かに大きい値に設定される。
【００７８】
次に、主に図４を参照しながら逸らせ装置２６２について説明する。逸らせ装置２６２は、逸らせ体２６８および付勢手段２７０を含んでいる。逸らせ体２６８は、本体１０２の背面の上端部に配置された支軸２７２に回動自在に支持され、第１ガイド壁１３２に形成された弧状開口１７２を通ってコイン通路１０６（換言すれば、第１コイン通路部１６２）に進退可能に取り付けられている。逸らせ体２６８は、板状であって、第１コイン通路部１６２に合わせて湾曲している。逸らせ体２６８の第１ガイド壁１３２の裏面側には、付勢手段２７０としての錘体２７４が取り付けられている。そのため、逸らせ体２６８には、支軸２７２を支点として、図４の紙面裏面側に向かう方向に所定のモーメントが作用する。これにより、通常、逸らせ体２６８は所定のモーメントでコイン通路１０６に突出する。付勢手段２７０は、逸らせ体２６８に付勢力を与えればよいので、錘体２７４に代えてスプリングを用いることができる。しかし、錘体２７４を用いた場合、個々のバラツキが小さく品質が安定するので好ましい。
【００７９】
逸らせ体２６８は、コイン通路１０６を転動するコインＣの上端側面を第２ガイド壁２０２側に押すことができるように、コイン通路１０６内において第２ガイドプレート２６０に近接して配置されている。また、逸らせ体２６８の先端はコイン通路１０６に対し傾斜しているので、逸らせ体２６８がコイン通路１０６内に位置する場合、入口１２２から投入されたコインＣは横方向に案内され、コイン通路１０６から押し出される力を受ける。コイン通路１０６に導入されたコインＣが真正コインである場合、ガイドレール２５６に沿って転動するコインＣは、その上端部側面を第２ガイドプレート２６０の第３コイン案内面２６６によって案内されるので、逸らせ体２６８に押されてもそのままコイン通路１０６を移動する。他方、コインＣが小径の偽コインである場合、その上端部側面は第２ガイドプレート２６０の第３コイン案内面２６６に案内されないので、逸らせ体２６８に押されると第２ガイド壁２０２側に倒されてコイン落下開口２０８から落下する。
【００８０】
なお、コイン通路１０６を形成する第１ガイド壁１３２の第１コイン案内面１４０は、本体１０２の正面側に前倒しに傾斜しているため、その傾斜角度が大きい場合には逸らせ装置２６２を省略することができる。
【００８１】
（リジェクト装置）
リジェクト装置１１０は、コイン通路１０６においてジャムしたコインＣをコイン通路１０６から排除する機能を有する。リジェクト装置１１０は、本体１０２の背面において第１ガイド壁１３２の左上方（図４では右上方）に配置され、かつ、ピボット軸である支軸２７２が軸挿入孔（図示せず）に挿入されることにより回動自在に取り付けられた被動レバ２８０と、被動レバ２８０の左下方（図４では右下方）において本体１０２の前面側に延在し、第１ガイド壁１３２の左端に形成された矩形状の開口１７４を通って第２ガイド壁２０２の裏面に先端が達する押動レバ２８２とからなる。
【００８２】
上述した通り、開閉体１０４には第１ガイド壁１３２に近づくように弾性的な回動力が常時作用ため、押動レバ２８２の先端が第２ガイド壁２０２（換言すれば、第１ガイドプレート２５２）に押されて図３（Ａ）において時計方向へ回動される。換言すれば、押動レバ２８２には、バネ２２６の付勢力が開閉体１０４を介して作用し、押動レバ２８２の先端が第２ガイド壁２０２の裏面に係止された状態が保持される。コインＣがコイン通路１０６においてジャムして転動しなくなった場合、遊技機の返却レバ(図示せず)が操作される。その場合、被動レバ２８０の傾斜面２８０ａが押し下げられ、図３（Ａ）において被動レバ２８０が反時計方向へ回動される。これにより、押動レバ２８２が第２ガイド壁２０２を押動し、開閉体１０４が回動されてリジェクト位置に移動する。この状態では、第１ガイドプレート２５２が第１ガイド壁１３２からコインＣの厚み以上離れ、コイン通路１０６において転動出来なくなったコインＣはガイドレール２５６から落下する。そして、落下したコインＣは、凹溝１３８内のリジェクト通路１８２（図７参照）を介して所定の返却口（図示せず）へ返却される。
【００８３】
（コイン受入規制装置）
コイン受入規制装置１１２は、遊技機がコイン受入拒否状態にある場合にコイン通路１０６においてコインＣの移動を規制する機能を有する。換言すれば、コイン通路１０６において転動するコインＣを停止させる機能を有する。コイン受入規制装置１１２は、コイン通路１０６の側方においてコイン通路１０６（換言すれば、第２コイン通路部１６４）の軸線Ｌ３に対し直交する回転軸線ＲＬの回りを回転可能な羽根車３０２と、羽根車３０２の回転を停止する回転停止装置３０４と、を含んでいる。
【００８４】
まず、図６、図８、図１１および図１２を参照しながら、羽根車３０２について説明する。羽根車３０２の回転軸線ＲＬは、第１コイン案内面１４０に対し本体１０２の前面側に所定間隔Ｄを置いて配置されている（図８参照）。羽根車３０２は、回転軸線ＲＬに沿って延在する円柱状の外周面３０８を有する羽根支持体３０６と、その外周面３０８に形成された３枚の羽根３２１、３２２、３２３と、を含んでいる（図１１参照）。羽根支持体３０６には回転軸線ＲＬに沿って軸孔３１０が形成され、羽根支持体３０６の断面形状は円環状である。軸孔３１０には回転軸線ＲＬに沿って延在する支軸３１２が挿入され、羽根支持体３０６は支軸３１２に対し回動可能に支持されている。図６に示すように、支軸３１２の上端部および下端部は、本体１０２において第１ガイド壁１３２から正面側に突出する軸支持部１９２、１９４に形成された軸孔（図示せず）に嵌合されて固定される。羽根支持体３０６の延在方向中央には、外周面３０８から外方に突出する円板状の突起板３１４が形成されている。突起板３１４の直径は、第１ガイド壁１３２と突起板３１４との間にコインＣの厚みより僅かに大きい隙間が形成されるように設定される。突起板３１４は、羽根車３０２の回転位置に拘わらず突出し、第２コイン通路部１６４において必要以上の隙間が形成されないようにするためのものである。
【００８５】
図８および図１１に示すように、羽根３２１、３２２、３２３は、羽根支持体３０６の外周面３０８において、その周方向を３分割するよう配置されている。換言すれば、外周面３０８上において、羽根３２１、３２２、３２３が等角度（すなわち、１２０度）の間隔で配置される。羽根３２１、３２２、３２３は、回転軸線ＲＬに沿う方向の視線において弧状に湾曲している。そして、コイン通路１０６に突出した直後において羽根３２１、３２２、３２３の突出する部位は第２コイン通路部１６４の軸線Ｌ３に対して鋭角をなし、羽根３２１、３２２、３２３がコイン通路１０６から退出する直前において羽根３２１、３２２、３２３のコイン通路１０６に突出する部位は第２コイン通路部１６４の軸線に対してほぼ平行をなすよう形成される。すなわち、図１２（Ａ）に示すように、羽根３２１がコイン通路１０６に突出した直後において、羽根３２１のコイン通路１０６に突出する部位の接線ＴＬ１と軸線Ｌ３とが鋭角θをなす。また、図１２（Ｂ）に示すように、羽根３２１のコイン通路１０６から退出する直前の部位の接線ＴＬ２と軸線Ｌ３とがほぼ平行となる。羽根３２２、３２３についても羽根３２１と同様である。
【００８６】
さらに、図１１に示すように、羽根３２１、３２２、３２３は、先端から回転軸線ＲＬ側に向かって先すぼまり状のＶ字形切り欠き３２６が形成されている。切り欠き３２６はコインＣの中心を通り、かつ、第２コイン通路部１６４の軸線Ｌ３に平行な直径線ＣＬの両側のコインＣの周面に相対するよう形成されている（図１１（Ｂ）参照）。これにより、羽根３２１、３２２、３２３には、コインＣの上端部および下端部に対応する位置に、先細りの先端部３２１ａ、３２１ｂ、３２２ａ、３２２ｂ、３２３ａ、３２３ｂがそれぞれ形成される。
【００８７】
上記構成において、羽根３２１、３２２、３２３を湾曲させることにより、角度θが大きくなり（換言すれば、より直角に近い角度となり）、コイン通路１０６において先行するコインＣと後続のコインＣとの間に羽根３２１、３２２、３２３が進入し易くなる。しかも、直径線ＣＬの上方および下方において先行するコインＣと後続のコインＣとの間には隙間ＳＰが形成されるので、その隙間ＳＰに羽根３２１、３２２、３２３の先端部３２１ａ、３２１ｂ、３２２ａ、３２２ｂ、３２３ａ、３２３ｂが入り込むことができる。したがって、先行するコインＣおよび後続のコインＣが接触した状態であっても、羽根３２１、３２２、３２３を介してコインＣを１枚ずつ分離することができる。
【００８８】
また、羽根３２１、３２２、３２３がコイン通路１０６に突出した直後に突出した部位にコインＣが接触（または、衝突）すると、突出した部位の接線ＴＬ１に垂直な分力ＶＦが羽根３２１、３２２、３２３に作用する（図１２（Ａ）参照）。これにより、羽根車３０２には図１２（Ａ）において時計方向の回転力が作用し、羽根車３０２を確実に回転させることができる。換言すれば、羽根３２１、３２２、３２３はコインＣによって押動され、コインＣがコイン通路１０６の下流へ移動することにより、羽根車３０２が図１２（Ａ）の時計方向ＦＲに回転する。他方、接線ＴＬ１に平行な分力ＨＦは、羽根３２１、３２２、３２３の延在方向に向かうため、羽根３２１、３２２、３２３の剛性によってコインＣに抗力が作用する。しかしながら、コイン通路１０６に突出する羽根３２１、３２２、３２３にコインＣが接触（または、衝突）した直後に羽根車３０２が回転を開始し、羽根車３０２の回転に伴って羽根３２１、３２２、３２３のコイン通路１０６に突出する部位と軸線Ｌ３とのなす角度が大きくなるので、コインＣに対する抗力は次第に減少する。そして、図１２（Ｂ）に示すように、羽根３２１、３２２、３２３がコイン通路１０６から退出する直前において羽根３２１、３２２、３２３のコイン通路１０６に突出する部位が軸線Ｌ３に対してほぼ平行になるので、この時点で羽根３２１、３２２、３２３がコインＣに及ぼす抗力は無くなる。したがって、羽根車３０２がコインＣの移動速度に及ぼす影響を小さくすることができる。
【００８９】
羽根３２１、３２２、３２３の曲率、Ｖ字形切り欠き３２６の角度α（図１１（Ａ）参照）、および第１コイン案内面１４０と回転軸線ＲＬとの間隔Ｄ（図８参照）は、選別対象のコインＣ（換言すれば、真正コイン）の直径および厚みに対応して最適化される。これは、図１９（Ａ）に示すように、コイン通路１０６において前後する羽根３２１および羽根３２２の間に１枚のコインＣが挟まれた状態を生起させる必要があるからである。これにより、先行するコインＣおよび後続のコインＣが接触状態であっても、羽根３２２を介して、先行するコインＣおよび後続のコインＣをより確実に分離でき、しかも噛み込みの発生を防止できる。
【００９０】
なお、本実施例では、羽根車３０２が３枚の羽根３２１、３２２、３２３を有しているが、羽根の枚数は少なくとも３枚であればよく、必要に応じて適宜変更可能である。
【００９１】
次に、図８、図１０および図１３を参照しながら、回転停止装置３０４について説明する。回転停止装置３０４は、コインＣによる羽根車３０２の回転を停止する機能を有する。図１０および図１３に示すように、回転停止装置３０４は、羽根車３０２の羽根３２１、３２２、３２３の回転経路に出没可能なストッパ３３２である。ストッパ３３２は、支軸３３４に対し回動自在な揺動レバ３３６と、揺動レバ３３６の先端に設けられた係止体３３８とを有している。揺動レバ３３６の基端は、支軸３３４に回動自在に支持された円筒状の回動部３４２の外周面に接続されている。回動部３４２の底部偏心位置には略円柱状の被動部３４４が形成されている。係止体３３８は、ほぼ三角柱の外形状を有し、図８に示すように、揺動レバ３３６の起立姿勢の状態においてコイン通路１０６の上流側に対して垂立する係止面３４６を有している。揺動レバ３３６、係止体３３８、回動部３４２および被動部３４４は一体で形成され、それらの全体が支軸３３４の回りを回動可能である。なお、必要に応じて、揺動レバ３３６、係止体３３８、回動部３４２および被動部３４４の一部または全部を個別に作製して組み立てることも可能である。しかし、寸法精度およびコストの観点から一体で形成されることが好ましい。
【００９２】
図８および図１０に示すように、ストッパ３３２は、本体１０２の背面側において羽根車３０２の羽根３２１、３２２、３２３の回転経路の下方に配置されている。ストッパ３３２の係止体３３８は、本体１０２のカバ部１４６の底部１４６ａに形成された開口１４８から出没可能である。すなわち、図１３（Ａ）に示すように、揺動レバ３３６が起立姿勢となることにより係止体３３８が開口１４８を介してカバ部１４６内に突出する突出位置Ｐ２と、図１３（Ｂ）に示すように、揺動レバ３３６が時計方向に回転して揺動レバ３３６が起立姿勢から傾斜姿勢となることにより係止体３３８がカバ部１４６内から退出する退出位置Ｐ１と、に変位可能である。係止体３３８が突出位置Ｐ２に位置する場合、カバ部１４６内において時計方向に回転する羽根車３０２の羽根３２１、３２２、３２３が係止体３３８の係止面３４６と接触または衝突する。これにより、羽根車３０２の回転が停止される。他方、係止体３３８が退出位置Ｐ１に位置する場合、羽根車３０２の回転が継続される。換言すれば、係止体３３８が羽根車３０２の羽根３２１、３２２、３２３の回転経路に突出することにより羽根車３０２の回転が停止され、係止体３３８が羽根車３０２の羽根３２１、３２２、３２３の回転経路から退出することにより羽根車３０２が回転可能となる。
【００９３】
被動部３４４は、第１ガイド壁１３２の裏面に対し平行にスライドするスライド部材３５２の係止溝３５３に係止されている（図１３参照）。スライド部材３５２は、カバ部１４６の底部１４６ａに平行な方向に延び、一端（図１０では右端）が第１ガイド壁１３２側に折れ曲がってＬ字形に形成された本体部分３５４と、本体部分３５４の下側面に対し直角な方向に延びる被動部分３５６と、被動部分３５６の左側面および右側面のそれぞれに対し直角な方向に延びる被案内部分３５８とを有している（図１０、図１３参照）。本体部分３５４は、その他端側（図１３では左端側）において下方に突出し、その突出部分に係止溝３５３が形成されている。被案内部分３５８は、第１ガイド壁１３２の裏面から突出して設けられた案内部１７６に案内される。案内部１７６は、第１ガイド壁１３２に対し平行な案内面１７６ａと、第１ガイド壁１３２の裏面に対し直角であってカバ部１４６の底部１４６ａに平行な方向に延在する突部１７６ｂと、を有している。被案内部分３５８の底面（図示せず）が案内面１７６ａと接触し、かつ、被案内部分３５８の下側面３５８ｂが突部１７６ｂと接触するように、案内部１７６が配置される。スライド部材３５２の被動部分３５６において、第１ガイド壁１３２の裏面と相対する底面(図示せず）に案内部１７６の突部１７６ｂが挿入される凹溝３５６ａが形成されている。
【００９４】
第１ガイド壁１３２の裏面において案内部１７６の下方には、スライド部材３５２をスライド移動させる駆動装置３６０が取り付けられている。本実施例において、駆動装置３６０はアーマチャ３６２を有するソレノイド３６４である。アーマチャ３６２は、スライド部材３５２の被動部分３５６に形成された段差付きの貫通孔３５６ｂに挿入され、アーマチャ３６２の先端部３６２ａが貫通孔３５６ｂの段差に掛け止めされている。アーマチャ３６２は、スライド部材３５２の被動部分３５６およびソレノイド３６４の間に配置されたバネ３６６により、アーマチャ３６２が突出する方向に、換言すれば、スライド部材３５２の被動部分３５６がソレノイド３６４から遠ざかる方向に付勢されている。バネ３６６の付勢力は、スライド部材３５２の被動部分３５６、本体部分３５４、ストッパ３３２の被動部３４４および回動部３４２を介して揺動レバ３３６に伝達され、揺動レバ３３６を図１３の反時計方向に回転させる。換言すれば、ストッパ３３２には、係止体３３８を羽根車３０２の羽根３２１、３２２、３２３の回転経路に突出させる弾性的な回動力が常時作用する。この回動力により突出したストッパ３３２は、係止体３３８が開口１４８の右側端（図１３（Ａ）では左側端）に係止されることにより、突出位置Ｐ２において停止される。
【００９５】
上記構成において、遊技機が受入許可状態の時、ソレノイド３６４が励磁され、アーマチャ３６２はバネ３６６の付勢力に抗してソレノイド３６４側に移動する。そのため、揺動レバ３３９が図１３（Ｂ）の傾斜姿勢となる時計方向に回動され、ストッパ３３２の係止体３３８は退出位置Ｐ１の位置に保持される。この状態で遊技機が受入許可状態から受入拒否状態に移行した時、ソレノイド３６４が励磁状態から消磁状態に変化する。これにより、バネ３６６の付勢力によって揺動レバ３３９が図１３（Ｂ）の反時計方向に回動されて起立姿勢となり、ストッパ３３２の係止体３３８は図１３（Ｂ）の退出位置Ｐ１から図１３（Ａ）の突出位置Ｐ２に変位する。
【００９６】
係止体３３８が退出位置Ｐ１から突出位置Ｐ２に変位する過程で、コインＣの移動により押動されて回転する羽根３２１、３２２、３２３のいずれか１枚が係止体３３８に接触（または、衝突）すると、係止体３３８には羽根３２１、３２２、３２３の進行方向に向かう力が作用する。係止体３３８は回動可能に支持された揺動レバ３３６の先端に設けられているので、羽根３２１、３２２、３２３の進行方向と係止体３３８が突出する際の揺動レバ３３６の回転方向とが同じ向きになる。そのため、係止体３３８と回転する羽根３２１、３２２、３２３とが接触（または、衝突）することにより、係止体３３８を突出させる方向に揺動レバ３３６が回転する。換言すれば、係止体３３８と回転する羽根３２１、３２２、３２３との接触（または、衝突）により、係止体３３８の羽根３２１、３２２、３２３の回転経路への突出が促進される。したがって、係止体３３８が退出位置Ｐ１から突出位置Ｐ２へ変位する時間が短縮され、ストッパ３３２としての応答速度が速くなる。これにより、呑み込みの発生をより確実に防止できる。また、バネ３６６の付勢力を弱めても十分な応答速度が得られるので、ソレノイド３６４の駆動力を低減でき、低コスト化・小型化・省電力化が可能となる。
【００９７】
（コイン落下装置）
コイン落下装置１１４は、第２コイン通路部１６４の軸線Ｌ３に平行な支軸４０４に回動自在に支持されることによって姿勢変更可能な可動ガイドレール４０２と、可動ガイドレール４０２を所定の姿勢に保持する姿勢保持機構４０６と、を含んでいる。可動ガイドレール４０２は、ガイドレール２５６およびガイドレール１４４の間に配置され、コイン通路１０６の第２コイン通路部１６４を形成している。
【００９８】
まず、図６、図１３および図１４を参照しながら、可動ガイドレール４０２について説明する。可動ガイドレール４０２は、軸線Ｌ３に平行な方向に延在してコインＣの外周面を案内する案内面４０８を有するガイドレール本体部４１２と、本体１０２の背面側においてガイドレール本体部４１２の左端部（図１３では右端部）から突出する錘部４１４と、を含んでいる。
【００９９】
ガイドレール本体部４１２は、第１ガイド壁１３２のほぼ中央に形成された横長矩形の開口１８０内に配置される（図６参照）。ガイドレール本体部４１２は、支軸４０４を中心に対し回動し、案内面４０８が第２コイン通路部１６４内に突出する第１姿勢Ｓ１と、案内面４０８が第２コイン通路部１６４から退出する第２姿勢Ｓ２と、に姿勢変更可能である。すなわち、ガイドレール本体部４１２が図１４の時計方向Ｒ１に回転した場合、案内面４０８が第１ガイド壁１３２の第１コイン案内面１４０に対しほぼ直角に突出し、案内面４０８が本体１０２のカバ部１４６の底部１４６ａに当接して回転が停止される。この状態において、第２コイン通路部１６４に導入されたコインＣが案内面４０８上を転動可能な第１姿勢Ｓ１となる。ガイドレール本体部４１２が図１４の半時計方向Ｒ２に回転した場合、案内面４０８が第１コイン案内面１４０に平行となり、錘部４１４が第１ガイド壁１３２の裏面に当接して回転が停止される。この状態において、ガイドレール本体部４１２が開口１８０内に収納され、第２コイン通路部１６４に導入されたコインＣが自重により下方に落下する第２姿勢Ｓ２となる。
【０１００】
錘部４１４は、図１４に示すように、支軸４０４を挟んでガイドレール本体部４１２の反対側において案内面４０８に対し斜め下方に向けて突出し、その自重によってガイドレール本体部４１２を図１４の時計方向Ｒ１に回転させる作用を有する。換言すれば、錘部４１４は、ガイドレール本体部４１２を第２姿勢Ｓ２から第１姿勢Ｓ１に姿勢変更させる機能を有している。
【０１０１】
次に、図１３および図１５を参照しながら、姿勢保持機構４０６について説明する。姿勢保持機構４０６は、ストッパ３３２を構成する揺動レバ３３６の左側面（図１３（Ａ）では右側面）に設けられた係止体４１６と、ガイドレール本体部４１２の右端部（図１３（Ａ）では左端部）にレバ４１８を介して支持された保持体４２０と、により構成される。係止体４１６は、左側方（図１３（Ａ）では右側方）に傾斜する斜面４１６ａを有するほぼ三角錐形状をなし、揺動レバ３３６と一体で形成されている。保持体４２０は湾曲した小判形の上面および底面を有する柱形であって、底面はガイドレール本体部４１２から外方に延びるレバ４１８に接続されている。レバ４１８および係止体４１６は、ガイドレール本体部４１２と一体で形成されている。
【０１０２】
係止体４１６は、揺動レバ３３６が起立姿勢から傾斜姿勢となることにより、図１３（Ａ）および（Ｂ）に示すように時計方向に回転し、ガイドレール本体部４１２が第１姿勢Ｓ１の状態で保持体４２０を係止する。これにより、ガイドレール本体部４１２の第１姿勢Ｓ１が保持される。また、ガイドレール本体部４１２が第２姿勢Ｓ２である場合にも、揺動レバ３３６が起立姿勢から傾斜姿勢となることにより、図１５（Ａ）および（Ｂ）に示すように、係止体４１６の斜面４１６ａが保持体４２０の上面を押動するため、レバ４１８を介してガイドレール本体部４１２を矢印Ｒ１の方向に回転させる。これにより、ガイドレール本体部４１２が第２姿勢Ｓ２から第１姿勢Ｓ１に変更された後、その第１姿勢Ｓ１が保持される。
【０１０３】
ガイドレール本体部４１２が保持体４２０により第１姿勢Ｓ１に保持されることで、第２コイン通路部１６４に導入されたコインＣは案内面４０８上を転動し、第３コイン通路部１６６へ向かう。このとき、揺動レバ３３６は傾斜姿勢にあり、ストッパ３３２の係止体３３８は退出位置Ｐ１にあるため、羽根車３０２は停止されることなく回転可能である。したがって、第２コイン通路部１６４を転動したコインＣは羽根車３０２に移動を規制されることなく、第３コイン通路部１６６を通って出口１２４から排出される。他方、ガイドレール本体部４１２が保持体４２０により第１姿勢Ｓ１に保持されない場合、揺動レバ３３６は起立姿勢にあり、ストッパ３３２の係止体３３８は突出位置Ｐ２にあるため、羽根車３０２の回転が停止される。したがって、第２コイン通路部１６４に導入されたコインＣは、羽根車３０２の羽根３２１、３２２、３２３のうち係止体３３８に係止されたものに下流への移動を阻止される。そして、移動を阻止されたコインＣは、コインＣの自重によりガイドレール本体部４１２が第１姿勢Ｓ１から第２姿勢Ｓ２となり、第２コイン通路部１６４から下方に落下する。換言すれば、コイン落下装置１１４は、ストッパ３３２の退出位置Ｐ１から突出位置Ｐ２への変位（すなわち、羽根車３０２の回転停止）に連動してコインＣを落下させる機能を有している。しかも、姿勢保持機構４０６において、係止体４１６はストッパ３３２と一体で形成され、保持体およびレバ４１８は可動ガイドレール４０２のガイドレール本体部４１２と一体で形成されるので、ストッパ３３２と連動するコイン落下装置１１４を低コストで実現できる。
【０１０４】
（コイン検知装置）
コイン検知装置１１６は、コイン通路１０６の第３コイン通路部１６６に配置され、コイン落下装置１１４によって排除されることなく第２コイン通路部１６４を通過して第３コイン通路部１６６に導入されたコインＣを検知する。コイン検知装置１１６は、透過型光電センサ、反射型光電センサ、磁気センサおよび接触センサ等を使用することができ、複数配置することが好ましい。検知信号の出力順等を判別することにより、外部からの不正用器具の挿入による不正を判別できるからである。また、異なる方式のセンサを用いた場合、不正を行うには異なるセンサに対応して誤検知を生じるよう行わねばならないため、不正を一層困難にする利点がある。
【０１０５】
本実施例では、コイン検知装置１１６は、第３コイン通路部１６６において互いに近接して配置された透過型光電式の２つのコインセンサ４５２、４５４を含んでいる。コインセンサ４５２、４５４は、第３コイン通路部１６６を挟んで配置された投光部および受光部をそれぞれ有し、コインＣの検知に伴って所定出力レベルの電気的な第１コイン検知信号ＣＳ１および第２コイン検知信号ＣＳ２を出力する。コインセンサ４５２、４５４は、センサ保持部４５６を介して本体１０２に取り付けられている。第３コイン通路部１６６において上流側に配置されたコインセンサ４５２は、第２コイン通路部１６４から第３コイン通路部１６６へ移動途中のコインＣを検出可能とするため、第２コイン通路部１６４の近傍に配置される。
【０１０６】
（糸吊り防止装置）
糸吊り防止装置１２０は、コインＣに天蚕糸等を括り付けて一旦真正コインと判定されたコインＣを当該天蚕糸によって引き戻し、再び真正コインとして判定させる不正を防止する機能を有する。図７に示すように、本実施例では、糸吊り防止装置１２０は第３コイン通路部１６６の右上方に配置されている。糸吊り防止装置１２０は、図１６（Ａ）に示すように、第１ガイド壁１３２の裏面に垂直な矩形状の突出壁４６２（図４参照）に取り付けられた横向きの支軸４６４と、支軸４６４に回動自在に支持された引き戻し防止体４６６と、を含んでいる。引き戻し防止体４６６は平面視略矩形の本体部４６８を有し、本体部４６８の一角に形成された軸挿入孔４６９に支軸４６４が挿入されている。本体部４６８には、その一側面４６８ａに対し直角に突出する係止突起４７０が形成されており、側面４６８ａおよび係止突起４７０によりへの字型の係止凹部４７２が構成されている。引き戻し防止体４６６の出口１２４側の一面には、係止凹部４７２から本体部４６８の側面４６８ｂに向けて延在する凹溝４７４が形成されている。
【０１０７】
第１ガイド壁１３２（換言すれば、第１コイン案内面１４０）は垂直方向に対して傾斜しているため、図１６（Ａ）に示すように、引き戻し防止体４６６は自己モーメントによって支軸４６４に対し対角に位置する円弧状の隅部４６８ｃを下方に向けた傾斜姿勢となり、係止突起４７０が第１ガイド壁１３２に形成された矩形の開口１７８を介して第３コイン通路部１６６内に突出する。換言すれば、引き戻し防止体４６６が第３コイン通路部１６６を横断する。この傾斜姿勢で第２コイン通路部１６４から第３コイン通路部１６６に導入されたコインＣは図７において右斜め下方に移動するため、引き戻し防止体４６６の側面４６８ｂがコインＣによって押動される。この押動力により引き戻し防止体４６６は支軸４６４を中心に図１６（Ａ）の半時計方向に回転し、図１６（Ｂ）に示すように、引き戻し防止体４６６が第３コイン通路部１６６から退出する。これにより、第３コイン通路部１６６においてコインＣは出口１２４に向けて移動可能となる。他方、コインＣが引き上げられた場合、図１６（Ｃ）に示すように、コインＣが引き戻し防止体４６６の係止凹部４７２に接触し、引き戻し防止体４６６を時計方向に回転させる押動力が係止凹部４７２に作用する。しかしながら、引き戻し防止体４６６の側面４６８ｂが第１ガイド壁１３２の開口１７８の内壁面に係止されるため、引き戻し防止体４６６の時計方向への回転が阻止される。さらに、コインＣの先端が凹溝４７４内に進入するため、凹溝４７４によってコインＣの厚み方向の移動が規制される。したがって、一度引き戻し防止体４６６を通過したコインＣを引き戻すことは不可能である。
【０１０８】
また、糸吊り防止装置１２０は、出口１２４から不正用器具の挿入を防止する機能も有している。すなわち、出口１２４から不正用器具を挿入した場合、上記コインＣの場合と同様に、引き戻し防止体４６６が不正用器具のコイン通路１０６の上流側への移動を阻止する。これにより、不正用器具のコイン検知装置１１６に対するアクセスを防止できる。
【０１０９】
（カバ部材）
カバ部材１１８は、ほぼ円錐台の一部を切り欠いたものを上下対称に接続した外形状を有する羽根車カバ部４８２と、上面視コの字形に形成された落下コイン案内部４８４と、本体１０２の第１ガイド壁１３２に相対する第４ガイド壁４８５と、を有している（図２参照）。羽根車カバ部４８２は、その左端部４８６において開閉体１０４のカバ部２３０の右側端部２４４と相対するよう配置され、開閉体１０４のカバ部２３０と共に羽根車３０２を本体１０２の前面側において保護する機能を有している。
【０１１０】
落下コイン案内部４８４は、本体１０２の左側壁１３４に平行な左側壁４８７と、羽根車３０２の回転軸線ＲＬに平行であって左斜め下方に傾斜した右側壁４８８と、左側壁４８７および右側壁４８８のそれぞれの前端に接続された上端が右斜め下方に傾斜する前壁４９０と、によって構成される。落下コイン案内部４８４の左側壁４８７、右側壁４８８および前壁４９０と、本体１０２の第１ガイド壁１３２によって下方に窄んだ筒状体４９２が形成される。上述した通り、コイン落下開口２０８から落下するコインＣは開閉体１０４の案内突条２８６により本体１０２の斜め前方に向けて滑落する。滑落したコインＣは落下コイン案内部４８４の前壁４９０に接触または衝突することにより、本体１０２の前面側への移動が規制される。これにより、コインＣは飛散することなく確実に所定の場所へ案内される。
【０１１１】
第４ガイド壁４８５は、羽根車カバ部４８２の左側方において第１ガイド壁１３２に対し平行に配置されている。第４ガイド壁４８５の裏面は、第１ガイド壁１３２の表面からコインＣの厚みより僅かに大きい間隔を置いて配置される。これにより、第４ガイド壁４８５の裏面は、第３コイン通路部１６６を形成する第４コイン案内面４９４として機能する（図１０参照）。
【０１１２】
カバ部材１１８において、左側壁４８７には掛止突起４９６が形成され、第４ガイド壁４８５には本体１０２の右側壁１３６に平行に延びる支持板４９７を介して掛止突起４９８が形成されている。掛止突起４９６は本体１０２の左側壁１３４に形成された矩形の掛止孔１３９ａに掛け止めされ（図３（Ａ）参照）、掛止突起４９６は本体１０２の右側壁１３６に形成された矩形の掛止孔１３９ｂに掛け止めされる（図３（Ｂ）参照）。これにより、カバ部材１１８が本体１０２に固定される。
【０１１３】
（不正防止装置）
不正防止装置１２６は、羽根車３０２と、コインＣが下流へ移動する方向の羽根車３０２の回転は許容するが逆方向の羽根車３０２の回転を阻止するワンウェイクラッチ５０２と、羽根車３０２の回転を検出する回転検出装置５０４と、を含んでいる。
【０１１４】
まず、図２１を参照しながら、不正防止装置１２６としての羽根車３０２の作用について説明する。羽根車３０２は、入口１２２から挿入された不正用器具ＩＴがコイン検知装置１１６に到達するのを防止する機能を有している。特に、コイン通路１０６に沿った平面形状を有する板状の不正用器具ＩＴが使用された場合に有効である。
【０１１５】
上述した通り、羽根車３０２は、コイン通路１０６において前後する羽根３２１と羽根３２２、羽根３２２と羽根３２３、および羽根３２３と羽根３２１の間に１枚のコインＣが挟まれるように、羽根３２１、３２２、３２３が配置される。不正用器具ＩＴを入口１２２から挿入すると、不正用器具ＩＴの先端の先端がコイン通路１０６内に突出する羽根３２１、３２２、３２３のいずれか１枚を押動して羽根車３０２が回転する。例えば、図２１（Ａ）に示すように、羽根３２１がコイン通路１０６内に突出する場合、不正用器具ＩＴの先端により羽根３２１が押動されて羽根車３０２が回転する（図２１（Ｂ）参照）。不正用器具ＩＴをさらに押し進めると、図２１（Ｃ）に示すように、羽根車３０２の回転に伴って羽根３２１がコイン通路１０６から退出する前に後続の羽根３２２がコイン通路１０６内に突出する。そのため、不正用器具ＩＴはコイン通路１０６の第１コイン案内面１４０と羽根３２２とに挟まれて、それ以上押し進めることができない。したがって、不正用器具ＩＴの先端をコイン検知装置１１６に到達させることはほぼ不可能である。
【０１１６】
次に、主に図１７（Ａ）を参照しながら、ワンウェイクラッチ５０２について説明する。ワンウェイクラッチ５０２は、回転軸線ＲＬの回りを羽根車３０２と一体で回転する回転体５０６に形成された３つの傾斜溝５０８と、傾斜溝５０８内に少なくとも一部を挿入可能に配置された球体５１０と、球体５１０の上下方向（換言すれば、回転軸線ＲＬに平行な方向）の移動を許容するが他方向の移動を規制する球体移動規制体５１２と、により構成される。回転体５０６は、外周縁５０６ａに切り欠き５０７が形成された所定の半径を有する円板であって、回転軸線ＲＬに対し３回転対称（換言すれば、１２０度の回転対称）である。回転体５０６は、羽根支持体３０６の上端から回転軸線ＲＬに沿って上方に延在する円柱状の支持体５１４を介して設けられている。
【０１１７】
傾斜溝５０８は、回転体５０６の外周縁５０６ａに沿って円弧状に湾曲し、切り欠き５０７に対して回転軸線ＲＬ側に配置され、球体５１０の直径より僅かに小さい幅を有している。傾斜溝５０８は、最大深さとなる円弧状の内端面５０８ａと、羽根車３０２の回転方向ＦＲとは逆の回転方向ＢＲに向けて深さが浅くなる傾斜底面５０８ｂとを有している。支軸３１２の上端において回転軸線ＲＬに沿った方向から見て、傾斜溝５０８の内端面５０８ａは、回転軸線ＲＬと羽根３２１、３２２、３２３の先端とを結ぶ直線より回転方向ＦＲ側に位置し、切り欠き５０７のほぼ中央と回転軸線ＲＬとを結ぶ直線Ｌ４において傾斜溝５０８の傾斜底面５０８ｂが回転体５０６の上面５０６ｂと一致する。
【０１１８】
球体移動規制体５１２は、軸支持部１９２の右側方に配置され（図６参照）、回転体５０６の上面５０６ｂに対し所定の間隔を置いて平行に配置された平板部５１２ａを有している。平板部５１２ａには傾斜溝５０８に対応する位置に球体５１０の直径より僅かに大径の貫通孔５１６が形成され、球体５１０が貫通孔５１６内に配置される。これにより、球体５１０の貫通孔５１６の周方向への移動は規制されるが、球体５１０の貫通孔５１６の軸方向への移動（換言すれば、上下動）は許容される。
【０１１９】
上記構成により、コイン通路１０６におけるコインＣの下流への移動によって羽根車３０２が回転方向ＦＲに回転した場合、自重により傾斜溝５０８に落下した球体５１０は、傾斜溝５０８内において傾斜底面５０８ｂ上を転動し、回転体５０６の上面５０６ｂに達して上面５０６ｂ上を転動する。そのため、羽根車３０２の回転方向ＦＲへ回転は、規制されることなく継続される。他方、羽根車３０２が回転方向ＦＲと相反する回転方向ＢＲに回転された場合、自重により傾斜溝５０８に落下した球体５１０は、傾斜溝５０８の内端面５０８ａに当接する。そのため、羽根車３０２の回転方向ＢＲへの回転が停止される。すなわち、コインＣが下流へ移動する方向の羽根車３０２の回転は許容され、逆方向の羽根車３０２の回転が阻止される。上記の通り、傾斜溝５０８の内端面５０８ａは、回転軸線ＲＬと羽根３２１、３２２、３２３の先端とを結ぶ直線より回転方向ＦＲ側に位置する。そのため、羽根車３０２の羽根３２１、３２２、３２３のいずれか１枚が第２コイン通路部１６４から退出する直前の状態（図１２（Ｂ）の状態）で羽根車３０２の逆方向の回転が停止される。
【０１２０】
なお、ワンウェイクラッチ５０２として、上記と同様の機能を有する他の構成のものを使用することができる。しかし、上記構成とすることにより低コストで実現できる利点がある。
【０１２１】
ワンウェイクラッチ５０２は、糸吊り防止装置１２０と同様に、コインＣに天蚕糸等を括り付けて一旦真正コインと判定されたコインＣを当該天蚕糸によって引き戻し、再び真正コインとして判定させる不正を防止する機能を有する。すなわち、コイン検知装置１１６が配置された第３コイン通路部１６６に到達したコインＣを引き戻そうとしても、図１２（Ａ）に示すように、羽根車３０２の羽根３２１、３２２、３２３のいずれか１枚が第２コイン通路部１６４に突出した状態で羽根車３０２の逆方向の回転が阻止されるため、コインＣを引き戻すことはほぼ不可能である。
【０１２２】
次に、図１７（Ｂ）を参照しながら、回転検出装置５０４について説明する。回転検出装置５０４は、上記した３つの切り欠き５０７が形成された回転体５０６と、回転体５０６の回転位置を検知する検知器５２４と、を含んでいる。回転体５０６の切り欠き５０７は、回転体５０６の外周縁５０６ａに沿って湾曲した台形状であり、羽根車３０２の羽根３２１、３２２、３２３に対応して形成されている。回転体５０６には切り欠き５０７のそれぞれに対応した縁部５２６、５２８が形成され、縁部５２６、５２８は回転体５０６の外周縁５０６ａから回転軸線ＲＬに向けて延在している。回転体５０６において、切り欠き５０７を除く円環状部分が検知器５２４を作用させる作用領域５３２であり、切り欠き５０７が非作用領域５３４である。換言すれば、作用領域５３２は、検知器５２４により検知される被検知部５３３である。被検知部５３３は、縁部５２６、５２８により画定される。
【０１２３】
縁部５２６は、羽根３２１、３２２、３２３の羽根支持体３０６の外周面３０８における角度間隔をほぼ二等分する位置に配置される。換言すれば、羽根３２１、３２２、３２３が第２コイン通路部１６４内に突出し、コインＣが前後する羽根３２１、３２２、３２３に挟まれた状態で被検知部５３３が検知器５２４により検知されるよう縁部５２６が配置される。これにより、コインＣを投入する前の初期状態において羽根車３０２の静止位置（換言すれば、羽根３２１、３２２、３２３の静止位置）に拘わらず、第２コイン通路部１６４におけるコインＣの移動が確実に検知される。縁部５２８は、羽根３２１、３２２、３２３の回転方向ＦＲ側の表面（換言すれば、コインＣを押動する面）に対応して配置される。換言すれば、回転軸線ＲＬを通り第１コイン案内面１４０に直角な面を羽根３２１、３２２、３２３が横切った時点で検知器５２４による被検知部５３３の検知が終了する。これにより、検知器５２４の検知期間中に第３コイン通路部１６６を移動するコインＣがコイン検知装置１１６により検知される。
【０１２４】
検知器５２４は、回転体５０６の被検知部５３３を検知する機能を有する。検知器５２４としては、透過型光電センサ、反射型光電センサ、磁気センサおよび接触センサ等を使用することができる。本実施例では、回転体５０６を挟んで配置された投光部および受光部を有する透過型の光電センサ５３６である。光電センサ５３６は、本体１０２の背面側において第１ガイド壁１３２に形成されたセンサ保持部５２５を介して取り付けられている。コインセンサ４５２、４５４と同じタイプの光電センサ５３６を使用することにより部品の共用が可能となり、コストを低減できる利点がある。光電センサ５３６は、回転体５０６の被検知部５３３を検知した場合、所定レベルの電気的な回転検出信号ＲＳを出力する。光電センサ５３６は、コイン通路１０６の外部に配置されるため、コイン通路１０６に不正用器具を挿入しても光電センサ５３６に対して不正にアクセスすることはほぼ不可能である。
【０１２５】
上記構成により、回転検出装置５０４は、羽根車３０２の回転位置に対応した回転検出信号ＲＳを出力する。羽根車３０２はコイン通路１０６を転動するコインＣにより回転されるため、羽根車３０２の回転が検出されていないにも拘わらずコイン検知装置１１６によりコインＣが検知された場合、コイン検知装置１１６に対する不正が行われたと判別できる。さらに、１枚のコインＣが第２コイン通路部１６４を通過する度に回転検出信号ＲＳが出力され、回転検出装置５０４の光電センサ５３６によるコインＣの検知とコイン検知装置１１６のコインセンサ４５２、４５４によるコインＣの検知とが一対一で対応するので、コイン検知装置１１６に対する不正をより確実に判別できる。
【０１２６】
なお、上記作用領域５３２を非作用領域とし、上記非作用領域５３４を作用領域としてもよい。この場合、非作用領域に対応して信号を出力する所謂負論理の光電センサ５３６を用いることにより、上記と同じ回転検出信号ＲＳが出力される。
【０１２７】
（コインセレクタの動作）
まず、図１８および図１９を参照しながら、遊技機が受入許可状態にある場合について説明する。遊技機が受入許可状態の時、ソレノイド３６４が励磁され、スライド部材３５２を介してストッパ３３２の揺動レバ３３６が傾斜姿勢となる。これにより、ストッパ３３２の係止体３３８が退出位置Ｐ１に位置すると共に、可動ガイドレール４０２がコイン通路１０６内に突出する第１姿勢Ｓ１に保持される。この状態において、コインＣが入口１２２から投入されると、コイン通路１０６を転動するコインＣは、図１８（Ａ）に示すように、羽根車３０２の羽根３２１に接触（または衝突）する。これにより、羽根３２１にはコインＣの押動力が作用し、羽根車３０２は図１８（Ａ）の時計方向に回転を開始する。コイン通路１０６におけるコインＣの下流への移動に伴い、羽根車３０２の回転が継続されて図１８（Ｂ）に示す状態となる。そして、羽根車３０２はストッパ３３２上を通過し、図１８（Ｃ）に示す状態となる。このとき、入口１２２から次のコインＣが投入され、コイン通路１０６を転動して先行するコインＣと後続のコインＣとが連続した状態でコイン通路１０６を移動する。
【０１２８】
先行するコインＣによる羽根３２１に対する押動が継続されることにより、羽根車３０２の回転も継続し、図１９（Ａ）に示す状態となる。この時、羽根３２２の先端部３２２ａ、３２２ｂが先行するコインＣと後続のコインＣとの間に形成される隙間ＳＰ（図１１（Ｂ）参照）に挿入され、先行するコインＣと後続のコインＣとが羽根３２２により分離される。この時、先行するコインＣが羽根３２１を押動すると共に、後続のコインＣが羽根３２２を押動する。これにより、羽根車３０２の回転が継続されて、図１９（Ｂ）に示す状態となる。この時点で、羽根３２１はコイン通路１０６から退出し、先行するコインＣによる羽根３２１への押動が終了する。そのため、先行するコインＣは重力加速度により速度を上げながら右斜め下方に移動し、図１９（Ｃ）に示すように、出口１２４から排出される。他方、後続のコインＣによる羽根３２２の押動により羽根車３０２の回転は継続される。以上の動作が繰り返されることにより、入口１２２に投入されたコインＣが出口１２４から順次排出される。
【０１２９】
次に、図２０を参照しながら、遊技機が受入許可状態から受入拒否状態に移行した場合について説明する。遊技機が受入許可状態の時、図１８（Ａ）の場合と同様に、入口１２２からコインＣが投入されると、コインＣはコイン通路１０６を転動し、コインＣにより羽根３２１が押動されて羽根車３０２が回転を開始し、図２０（Ａ）の状態となる。その直後に遊技機が受入拒否状態になると、ソレノイド３６４が消磁され、スライド部材３５２を介してストッパ３３２の揺動レバ３３６が起立姿勢となる。これにより、ストッパ３３２の係止体３３８が退出位置Ｐ１から突出位置Ｐ２に変位すると共に、姿勢保持機構４０６による可動ガイドレール４０２の第１姿勢Ｓ１における保持状態が解除される。コイン通路１０６におけるコインＣの下流への移動に伴い、羽根車３０２の回転が継続され、羽根３２１が図１８（Ｂ）に示す位置に移動すると、開口１４８から突出するストッパ３３２の係止面３４６に羽根３２１が係止され、羽根車３０２の回転が停止される。これにより、コインＣの下流への移動が羽根３２１により阻止されると共に、コインＣの自重により可動ガイドレール４０２が第１姿勢Ｓ１から第２姿勢Ｓ２に姿勢変更され、図２０（Ｃ）に示すように、コインＣがコイン通路１０６から落下する。さらに、後続のコインＣも同様にしてコイン通路１０６から順次落下する。
【０１３０】
次に、図２２から図２４を参照しながら、回転検出装置５０４およびコイン検知装置１１６の出力波形について説明する。まず、正常時における出力波形について説明する。図２２は、コイン通路１０６の回転軸線ＲＬよりも上流側において羽根３２１、３２２、３２３の先端部３２１ａ、３２１ｂ、３２２ａ、３２２ｂ、３２３ａ、３２３ｂがコイン通路１０６内に僅かに突出した状態で羽根車３０２が静止状態にある場合の信号波形を示す。この場合、入口１２２に投入されたコインＣにより羽根車３０２が回転され、図１８（Ｃ）の状態になるまでの間に回転検出信号ＲＳとしてパルスＰ１−０が出力される。そして、図１９（Ｂ）から図１９（Ｃ）の状態に至る過程で、回転検出信号ＲＳとしてパルスＰ１−１が出力される。このパルスＰ１−１の出力期間Ｔ１において、第１コイン検知信号ＣＳ１および第２コイン検知信号ＣＳ２として、Ｐ２−１、Ｐ３−１が出力される。換言すれば、回転検出信号ＲＳと第１コイン検知信号ＣＳ１および第２コイン検知信号ＣＳ２とが対応して出力される。後続のコインＣについても同様に、回転検出信号ＲＳのパルスＰ１−３と第１コイン検知信号ＣＳ１および第２コイン検知信号ＣＳ２のパルスＰ２−３、Ｐ３−３が対応して出力される。しかも、期間Ｔ２において回転検出信号ＲＳ、第１コイン検知信号ＣＳ１および第２コイン検知信号ＣＳ２が同時に出力されるので、この期間Ｔ２において回転検出信号ＲＳ、第１コイン検知信号ＣＳ１および第２コイン検知信号ＣＳ２の論理積から正常な状態でコインＣが排出されたと容易に判別できる。
【０１３１】
図２３は、コイン通路１０６の回転軸線ＲＬよりも上流側において羽根３２１、３２２、３２３の先端部３２１ａ、３２１ｂ、３２２ａ、３２２ｂ、３２３ａ、３２３ｂがコイン通路１０６内に突出していない状態で羽根車３０２が静止状態にある場合の信号波形を示す。この場合、回転検出信号ＲＳのパルスＰ１−０が出力されない点を除き、上記図２２の場合と同じである。
【０１３２】
次に、不正や故障等による異常時における出力波形について説明する。図２４に示すように、回転検出信号ＲＳが出力されていないにも拘わらず、第１コイン検知信号ＣＳ１および第２コイン検知信号ＣＳ２が出力されている。この場合、回転検出装置５０４の光電センサ５３６の故障や不正行為などによる異常と判別できる。したがって、異常の発生を音や光などで報知することにより、不正行為を防止できる。
【産業上の利用可能性】
【０１３３】
本発明は、パチスロ等のコインを使用する遊技機、両替機、自動販売機、券売機などのコイン処理装置との組み合わせで好適に利用できる。
【符号の説明】
【０１３４】
１００  コインセレクタ
１０２  本体
１０４  開閉体
１０６  コイン通路
１０８  コイン選別部
１１０  リジェクト装置
１１２  コイン受入規制装置
１１４  コイン落下装置
１１６  コイン検知装置
１１８  カバ部材
１２０  糸吊り防止装置
１２２  入口
１２４  出口
１２６  不正防止装置
１３２  第１ガイド壁
１３４  左側壁
１３６  右側壁
１３８  凹溝
１３９ａ、１３９ｂ  掛止孔
１４０  第１コイン案内面
１４４  ガイドレール
１４５  突部
１４６  カバ部
１４６ａ  底部
１４８  開口
１４９  突部
１５２、１５４  支軸
１６２  第１コイン通路部
１６４  第２コイン通路部
１６６  第３コイン通路部
１７６  案内部
１８２  リジェクト通路
１９２、１９４  軸支持部
２０２  第２ガイド壁
２０３  第３ガイド壁
２０４  開閉体枠
２０６  第２コイン案内面
２０８  コイン落下開口
２１６  上側揺動レバ
２１８  下側揺動レバ
２２０、２２２  軸挿入孔
２３０  カバ部
２３４、２３６  切り欠き
２５２  第１ガイドプレート
２５６  ガイドレール
２６０  第２ガイドプレート
２６２  逸らせ装置
２６６  第３コイン案内面
２６８  逸らせ体
３０２  羽根車
３０４  回転停止装置
３０６  羽根支持体
３０８  外周面
３１０  軸孔
３１２  支軸
３１４  突起板
３２１、３２２、３２３  羽根
３２６  切り欠き
３３２  ストッパ
３３４  支軸
３３６  揺動レバ
３３８  係止体
３４２  回動部
３４４  被動部
３４６  係止面
３５２  スライド部材
３５３  係止溝
３６０  駆動装置
３６２  アーマチャ
３６４  ソレノイド
３６６  バネ
４０２  可動ガイドレール
４０４  支軸
４０６  姿勢保持機構
４０８  案内面
４１２  ガイドレール本体部
４１４  錘部
４１６  係止体
４１６ａ  斜面
４１８  レバ
４２０  保持体
４５２、４５４  コインセンサ
４６６  引き戻し防止体
４７０  係止突起
４７２  係止凹部
４７４  凹溝
４８２  羽根車カバ部
４８４  落下コイン案内部
４８５  第４ガイド壁
４９４  第４コイン案内面
５０２  ワンウェイクラッチ
５０４  回転検出装置
５０６  回転体
５０６ａ  外周縁
５０６ｂ  上面
５０７  切り欠き
５０８  傾斜溝
５０８ａ  内端面
５０８ｂ  傾斜底面
５１０  球体
５１２  球体移動規制体
５１４  支持体
５１６  貫通孔
５２４  検知器
５２６、５２８  縁部
５３２  作用領域
５３３  被検知部
５３４  非作用領域
５３６  光電センサ
ＢＲ  回転方向
ＦＲ  回転方向
Ｃ  コイン
ＩＴ  不正用器具
Ｌ３  軸線
ＲＬ  回転軸線
ＣＬ  直径線
ＳＰ  隙間
Ｐ１  退出位置
Ｐ２  突出位置
Ｓ１  第１姿勢
Ｓ２  第２姿勢
ＲＬ  回転軸線
ＣＳ１  第１コイン検知信号
ＣＳ２  第２コイン検知信号
ＲＳ  回転検出信号
【図１】
0005604656.tif 000002
【図２】
0005604656.tif 000003
【図３】
0005604656.tif 000004
【図４】
0005604656.tif 000005
【図５】
0005604656.tif 000006
【図６】
0005604656.tif 000007
【図７】
0005604656.tif 000008
【図８】
0005604656.tif 000009
【図９】
0005604656.tif 000010
【図１０】
0005604656.tif 000011
【図１１】
0005604656.tif 000012
【図１２】
0005604656.tif 000013
【図１３】
0005604656.tif 000014
【図１４】
0005604656.tif 000015
【図１５】
0005604656.tif 000016
【図１６】
0005604656.tif 000017
【図１７】
0005604656.tif 000018
【図１８】
0005604656.tif 000019
【図１９】
0005604656.tif 000020
【図２０】
0005604656.tif 000021
【図２１】
0005604656.tif 000022
【図２２】
0005604656.tif 000023
【図２３】
0005604656.tif 000024
【図２４】
0005604656.tif 000025